(57)【要約】  通信セッションの間にモードアジャイル通信を実行するための方法が開示される。多数のアクセスモードに対応する通信端末装置（１０４、１１８、１２４Ｂ、１２４Ａ）は、第１アクセスモード通信を含むセッションの間、第２アクセスモードが利用可能で、かつセッションに対する後続通信に使用されるべき時を判断するよう構成される。通信端末装置（１０４、１１８、１２４Ｂ、１２４Ａ）は、１つのアクセスモードから他のモードへの切換を開始又は制御する。
2008510394.tif 000002
【特許請求の範囲】
【請求項１】
ネットワークにアクセスする通信端末装置を含む通信セッションを実行するための方法であって、
通信端末装置において、第１アクセスモードを介してセッションに相当する通信を実行する過程と、
通信端末装置において、セッションに相当する通信に第２アクセスモードが利用可能であることを判断する過程と、
通信端末装置から、第２アクセスモードが使用されるべきネットワークに指示を送信する過程と、
通信端末装置において、第２アクセスモードを用いてセッションに相当する後続通信を実行する過程と
を具備することを特徴とする方法。
【請求項２】
第２アクセスモードを用いて通信を実行する過程と同時に、第１アクセスモードを用いて通信を切断する過程をさらに具備することを特徴とする請求項１に記載の方法。
【請求項３】
ネットワークへ指示を送信する過程は、第２アクセスモードを用いてセッションに相当する後続通信をネットワークに実行させることを特徴とする請求項１に記載の方法。
【請求項４】
セッションが第１アクセスモードから第２アクセスモードの使用へ移行する時、前記セッションは、アクティブ状態で実質的に維持されることを特徴とする請求項１に記載の方法。
【請求項５】
第２アクセスモードを用いてセッションに相当する後続通信を実行する過程は、第２アクセスモードを介する通信が首尾よく確立されたか否かの通信端末装置における検出に応答して条件付で実行されることを特徴とする請求項１に記載の方法。
【請求項６】
通信端末装置は、無線携帯通信装置として機能できることを特徴とする請求項１に記載の方法。
【請求項７】
無線携帯通信装置は、携帯電話通信を実行するように、及び無線ローカルエリアネットワーク通信を実行するように構成されたデュアルモード装置であることを特徴とする請求項６に記載の方法。
【請求項８】
通信端末装置は、有線ローカルエリアネットワークに通信可能に連結されるように、及びアクセスモードとしてローカルエリアネットワークを採用するように構成されることを特徴とする請求項１に記載の方法。
【請求項９】
第１及び第２アクセスモードは、無線通信を具備し、第１アクセスモードは、第２アクセスモードのそれと比較して異なる高周波帯域での通信を採用することを特徴とする請求項１に記載の方法。
【請求項１０】
第１及び第２アクセスモードは、無線通信を具備し、第１アクセスモードは、第２アクセスモードのそれと比較して異なる通信プロトコルに従う通信を採用することを特徴とする請求項１に記載の方法。
【請求項１１】
セッションの間、第２アクセスモードが後続通信に用いられる指示を、通信端末装置を介してユーザへ提供する過程をさらに具備することを特徴とする請求項１に記載の方法。
【請求項１２】
第２アクセスモードを用いる通信が首尾よく確立された指示を、通信端末装置を介してユーザへ提供する過程をさらに具備することを特徴とする請求項１に記載の方法。
【請求項１３】
セッションの間、第２アクセスモードが利用可能である指示を、通信端末装置を介してユーザへ提供する過程をさらに具備することを特徴とする請求項に記載の方法。
【請求項１４】
ユーザへの指示は、通信端末装置によって示される音声信号、視覚信号又は機械動作のうち少なくとも１つを介して提供されることを特徴とする請求項１３に記載の方法。
【請求項１５】
第２アクセスモードがユーザによって受入られたか否かに関する指示をユーザから受信する過程と、
それに応じて、第２アクセスモードを用いてセッションに相当する後続通信を実行する過程と
をさらに具備することを特徴とする請求項１に記載の方法。
【請求項１６】
第２アクセスモードが受入可能か否かをユーザが判断できるようにするために第１アクセスモード又は第２アクセスモードのうち少なくとも１つに関する情報を、通信端末装置を介してユーザへ伝える過程をさらに具備することを特徴とする請求項１５に記載の方法。
【請求項１７】
第２通信モードを用いてセッションに相当する後続通信を実行する過程は、第２アクセスモードの属性がセッション開始前にユーザによって設定された一組の基準を満たすか否かに基づき条件付で実行されることを特徴とする請求項１に記載の方法。
【請求項１８】
基準は、通信端末装置に持続的に記憶されることを特徴とする請求項１７に記載の方法。
【請求項１９】
属性は、セッションの間に通信端末装置によって基準に関して評価されることを特徴とする請求項１７に記載の方法。
【請求項２０】
第２アクセスモードを用いてセッションに相当する後続通信を実行する過程は、中間セッションアクセスモード切換を可能にするためにユーザによって設定された現在の承認を条件として条件付で実行されることを特徴とする請求項１に記載の方法。
【請求項２１】
ネットワークにアクセスすることによって通信セッションを実行するための通信端末装置であって、
第１アクセスモードを介してセッションに相当する通信を実行する手段と、
セッションに相当する通信に第２アクセスモードが利用可能であることを判断する手段と、
第２アクセスモードが使用されるべきネットワークへ指示を送信する手段と、
第２アクセスモードを用いてセッションに相当する後続通信を実行する手段と
を具備することを特徴とする方法。
【請求項２２】
ネットワークへ指示を送信する手段は、セッション中にネットワークへＳＩＰ  ＩＮＶＩＴＥメッセージを送信する手段を具備することを特徴とする請求項２１に記載の通信端末装置。
【請求項２３】
通信端末装置を含む通信セッションを実行するための通信ネットワークにおける方法であって、
ネットワーク及び装置間で第１アクセスモードを介してセッションに相当する通信を実行する過程と、
ネットワーク及び装置間の第２アクセスモードがセッションに相当する後続通信に用いられるべき装置から指示を受信する過程と、
ネットワーク及び装置間の第２アクセスモードを用いてセッションに相当する後続通信を実行する過程と
を具備することを特徴とする方法。
【請求項２４】
第１アクセスモードによって有効にされた装置のモビリティの程度は、第２アクセスモードによって有効にされたモビリティと比較して実質的に異なることを特徴とする請求項２３に記載の方法。
【発明の詳細な説明】
【技術分野】
【０００１】
本出願は、２００４年８月１３日に出願された米国仮特許出願Ｎｏ．６０／６０１２５６に基づき米国特許法１１９条による優先権主張を伴い、その全体は、参考のために本明細書において示される。
【０００２】
本発明に従う実施形態は一般に、マルチモード通信を提供することに関し、具体的には、セッション開始プロトコル（ＳＩＰ）ベースの固定モバイル集中型の通信サービスを提供することに関する。
【背景技術】
【０００３】
現在の通信システムは、ソースから送信先へデータを伝えるための無線及び／又は有線通信技術を採用することができる。一般に、ユーザは、音声、データ及び／又はメッセージサービス等の特定種類の通信サービスにアクセスするための各種専用装置を採用する。例えば、携帯電話は、無線音声呼を作成するために使用でき、個人用デジタル補助装置（ＰＤＡ）は、電子メールメッセージを送受信するために使用でき、ファクシミリ機械は、一般電話システム（ＰＯＴＳ）地上線を用いてファクシミリ送信に使用でき、及び／又はデスクトップコンピュータは、シールドツイストペア上のデジタル加入者線（ＤＳＬ）を用いてマルチメディアアプリケーションにアクセスすることができる。結果として、これらの送信専用又はネットワーク専用装置は、ユーザが所望の一連の通信機能を実行するために多数の装置を有する必要があることを意味する。多数の装置の必要性は、強力な通信ソリューションの提供をさらに複雑にする。
【０００４】
また、各装置がサービスプロバイダとの固有のサービス契約又は加入を要求することがあるため、通信ソリューションを複雑にしているという事実がある。例えば、ユーザは、携帯電話サービスのための無線通信事業者とのサービス契約、ＤＳＬサービスのための別個のプロバイダとのサービス契約、及び従来の地上電話サービスのための他のサービス契約をも有することがある。ユーザによって使用された各装置に対する固有の識別子を有する必要性は、現在の通信ソリューションを一層複雑なものにしうる。各サービスプロバイダは、そのネットワークに関連付けられた固有の識別子をユーザが有することを要求しうる。例えば、ユーザは、携帯電話アカウントのためにそれらに割当てられた１つの数と、地上線アカウントのために割当てられた別個の数と、ＤＳＬアカウントに割当てられた電子メールアドレス又はイーサネット（登録商標）アドレスとを有することがある。結果として、ユーザは、これら識別子を管理する必要があり、ユーザに対して通信するために第三者がこれら識別子を有していることを確実にしなければならないことがある。
【０００５】
一般に、どのような通信手段又はモードがそれらに利用可能かを通じてパーティ間で通信を有効にすることが望まれる。例えば、携帯又は無線ユーザは、ＰＳＴＮユーザとの電話呼を直ちに交換することができる。しかし、例えば電話発呼者が個人コンピュータ上でインスタントメッセージクライアントに対して直ちに通信することができるところまで、未だ技術が広く開発されていない。この種類の相互通信に対応する要望に加えて、同一の装置からの様々な通信モードを使用する時でも、ユーザが自由に任意の利用可能な通信モードを採用することが所望とされる。従って、最近開発されたいくつかの装置は、多数の通信モードに対応することができる。例えば、２Ｇ又は３Ｇを介して通信する従来の携帯電話装置は、近隣のＷｉＦｉ“ホットスポット”を認識し、後者を介して通信を確立するよう備えられることもできる。
【０００６】
一つより多い無線プロトコル又は搬送周波数帯域に対応できる無線通信装置等のマルチモード通信装置に照らして、いくつかの通信モードは、時々利用可能なことがある。任意の所定時間及び場所において、ある種類の通信は、近接性、低コスト、良好な品質又は比較的高い信頼性によって他の通信よりも好ましいことがある。しかし通信モードの選択は、ネットワークによって制御され、セッションの開始時又はセッションの間の任意の時間で発生することがある。アクセスモードがセッションの継続中に変わる、いわゆる“ミッドコールハンドオフ”は、警告なく行われ、パーティ間での通信を少し妨害することがある。
【０００７】
また、ネットワーク常駐エンティティによって開始される１つのモードから他のモードへの変更は、ユーザにとってあまり好ましくないモードへの突発的な接続の変更をもたらすことがある。例えば、優れた信号強度での接続は、比較的狭い帯域幅、比較的低いセキュリティ又は比較的高いコストを示すことがある。アクセスモードの中間セッション切換は、ユーザの願望又はプリファレンスに関係なく発生することがあり、好ましくない動作をもたらす。
【発明の開示】
【発明が解決しようとする課題】
【０００８】
本願の開示に従う各種実施形態は、ネットワーク制御のアプローチとは対照的に、携帯通信装置によって開始又は管理されるべきアクセスモードの中間セッション変更を提供する。また、各種実施形態は、装置のユーザの選択又はプリファレンスに当然払うべき注意を払って当該モード切換を実行する装置を提供する。
【０００９】
１実施形態に従って、ネットワークにアクセスする通信端末装置を含む通信セッションを実行するための方法が提供される。例示的な方法は、通信端末装置において、第１アクセスモードを介してセッションに相当する通信を実行する過程と、通信端末装置において、セッションに相当する通信に第２アクセスモードが利用可能であることを判断する過程と、通信端末装置から、第２アクセスモードが使用されるべきネットワークに指示を送信する過程と、通信端末装置において、第２アクセスモードを用いてセッションに相当する後続通信を実行する過程とを含む。
【００１０】
本発明のもう１つの実施形態によると、通信セッションに従事し、第１アクセスモードを介してセッションに相当する通信を実行し、第２アクセスモードが利用可能か判断し、第２アクセスモードがセッションの通信に使用されるべきネットワークに指示を送信し、第２アクセスモードを用いてセッションに相当する後続通信を実行する通信装置が提供される。いくつかの実施形態において、装置は、アクセスモード切換が発生すべきことを指示するためにセッション中にネットワークへＳＩＰ  ＩＮＶＩＴＥメッセージを送信することができる。
【００１１】
本願の開示のもう１つの実施形態に従って、方法は、通信端末装置を含む通信セッションを実行するための通信ネットワークにおいて実行される。方法は、ネットワーク及び装置間で第１アクセスモードを介してセッションに相当する通信を実行する過程と、ネットワーク及び装置間の第２アクセスモードがセッションに相当する後続通信に用いられるべき指示を装置から受信する過程と、ネットワーク及び装置間の第２アクセスモードを用いてセッションに相当する後続通信を実行する過程とを具備する。第１アクセスモードによって有効にされた装置のモビリティの程度は、第２アクセスモードによって有効にされたモビリティと比較して実質的に異なることができる。
【発明を実施するための最良の形態】
【００１２】
本発明の原理に従う実施形態の以下の詳細な説明は、添付図面を参照する。異なる図面における同一参照番号は、同一又は類似要素を特定する。また、以下の詳細な説明は、本発明を限定しない。代わりに、本発明の範囲は、添付された特許請求の範囲及びその均等の範囲によって画定される。
【００１３】
本明細書で使用されるように、“アクセス”という用語は一般に、通信ネットワークの加入者又はユーザがいくつかの形式の送信リンクを介してネットワークへどのように通信可能に連結されるかについて言及する。異なるアクセスモードの例は、ＣＤＰＤ、３Ｇ、ＷｉＭａｘ、ＷｉＦｉ、イーサネット（登録商標）ベースのＬＡＮ／ＷＡＮ及び従来の電話加入者ループである。アクセスモードは例えば、占有された高周波帯域、送信符号化／多重化スキーム、送信プロトコル、又は使用された伝搬媒体（無線、有線、光等）の点で異なることがある。
【００１４】
“固定モバイル集中”の概念は、例えば高モビリティ２Ｇ通信及び低モビリティＷｉＦｉリンクの両方を使用するセッションをどのようにモードアジャイル装置及び通信システムが持続することができるかを検討するに当たって生じる。２Ｇ無線を使用することによって、広範なエリア上で自由なモビリティを可能にするが、所定のＷｉＦｉリンクが比較的かなりローカライズされるため、相対的に固定される。一般に、電気的連結は、さらにローカライズされる。
【００１５】
また、システム及び方法は、単独のマルチモード通信装置を使用して、シームレスに或いは時として同時に、マルチメディア、声、データ、メッセージング及び／又はビデオ等の、任意の種類の固定及び／又はモバイル通信を実質的に実行可能にする。例えば、単独の無線装置は、インターネットネットワーク、２Ｇ／３Ｇモバイルネットワーク、時分割多重化（ＴＤＭ）ネットワーク、無線フィデリティ（Ｗｉ−Ｆｉ）のような無線ネットワーク及びインターネットプロトコル（ＩＰ）ベースの構内電話交換（ＰＢＸ）システムネットワークに限定されないが、それらを含む任意の種類のネットワークを実質的に介して呼を発するために使用されることができる。また、実施形態は、加入者装置からの要請を介して１つの通信モードから他の通信モードへの切換を容易にすることができる。加入者装置は、ユーザ入力を介して自動、半自動又は手動でモード切換を開始するよう構成されてもよい。いくつかの実施形態において、ユーザは、任意の特定セッションのコンテキストの前及び外で、いつどのような状況でモード切換が許容されるかを特定することができる。また、ユーザプリファレンスが表明され、かつそれに従って通信装置が作用することができる各種技術は、以下に説明される。
【００１６】
例示的なネットワーク
図１は、マルチアジャイル通信セッションを提供するためのシステム及び方法が本発明の原理に従って実施されることができる例示的なネットワークのブロック図である。ネットワーク１００は、無線及び／又は有線装置間の通信を容易にするよう採用されることができ、無線ローカルエリアネットワーク（ＬＡＮ）１０２、個人用デジタル補助装置（ＰＤＡ）１０４、ネットワーク１０６、ＳＩＰモビリティサーバ１０８、加入者宅内機器（ＣＰＥ）インタフェース１１０、デスクトップコンピュータ１１２、ＩＰ電話１１４、マルチモードソケット１１６、ハンドヘルドコンピュータ１１８、２Ｇ／３Ｇ無線ネットワーク１２０、無線ゲートウェイ１２２、２Ｇ無線装置１２４Ａ、３Ｇ無線装置１２４Ｂ、公衆交換電話ネットワーク（ＰＳＴＮ）１２６、ＰＳＴＮ電話１２８及びネットワークゲートウェイ１３０を含むことができる。
【００１７】
無線ＬＡＮ１０２は、ＰＤＡ１０４等の無線通信装置へのローカルエリア接続性を提供できる任意の装置及び／又はネットワークを含むことができる。無線ＬＡＮ１０２は、無線ルータ、アクセスポイント、切換、ネットワークアドレス変換器（ＮＡＴ）等のネットワークハードウェアを含むことができる。無線ＬＡＮ１０２は、有線及び／又は無線リンクを介してネットワーク１０６にインタフェースすることができる。例えば、無線ＬＡＮ１０２は、ＩＥＥＥ８０２．１１ｂプロトコル等の無線フィデリティ（Ｗｉ−Ｆｉ）プロトコルを実行することができる。無線ＬＡＮ１０２は、ＰＤＡ１０４等のユーザ装置を、ハンドヘルドコンピュータ１１８、２Ｇ無線装置１２４Ａ及び／又はＰＳＴＮ電話１２８等の、他のネットワーク上で動作するユーザ装置に接続することができる。
【００１８】
ＰＤＡ１０４は、動作を実行する機械読取可能な命令を処理できる任意の無線装置を含むことができる。例えば、ＰＤＡ１０４は、無線リンク上でデータを送受信するための無線トランシーバを有するハンドヘルド装置を含むことができる。また、ＰＤＡ１０４は、ソフトウェアアプリケーション、メモリ、ユーザディスプレイ装置、及び／又はユーザ入力装置を実行するためのマイクロプロセッサを含むことができる。ユーザ入力装置として、タッチセンシィティブディスプレイ、キーパッド及び／又はマイクロフォン等が挙げられる。ＰＤＡ１０４は、スタンドアローンの装置として実施されることができ、又は無線電話等の他の装置に関連付けられた機能性を組込むことができる。ＰＤＡ１０４は、無線ＬＡＮ１０２等の一つ以上の無線ネットワークに対してデータを送受信するのに用いることができる。
【００１９】
ネットワーク１０６は、ワールドワイドウェブのような広域ネットワーク（ＷＡＮ）等の、任意の種類のネットワーク或いは一組のネットワークを含むことができる。また、ネットワーク１０６は、ルータ、切換及び／又はファイアウォール等の転送及び／又はネットワーク装置を含むことができる。ネットワーク１０６は、無線ＬＡＮ１０２、ＣＰＥインタフェース１１０、無線ゲートウェイ１２２及び／又はネットワークゲートウェイ１３０に対して送受信されるデータのための主要な転送基盤として動作することができる。ネットワーク１０６の実施形態は、インターネットプロトコル（ＩＰ）ネットワークとして動作することができる。ネットワーク１０６は、非同期転送モード（ＡＴＭ）、フレームリレー、同期光ネットワーク（ＳＯＮＥＴ）又は統合サービスデジタルネットワーク（ＩＳＤＮ）等の、任意のデータネットワーキング又は通信プロトコルを実質的に実行する他のネットワークに協働することができる。
【００２０】
ネットワーク１０６は、無線装置を用いてシームレス通信を向上するために用いることができる一つ以上のネットワークプロトコルに対応することができる。例えば、セッション開始又は呼設定のために、ネットワーク１０６は、マルチメディア集中型サービスを容易にするのに適した他のプロトコルだけでなく、ＳＩＰと、インスタントメッセージング及びプレゼンス活用の拡張（ＳＩＭＰＬＥ）と、ＥＮＵＭ等の単独のＩＰ通信プロトコルとに対応することができる。ネットワーク１０６は、ネットワーク１０６において動作する固定及び／又はモバイル装置に関連付けられたネットワーク識別のデータベースを維持するために、単独又はＳＩＰモビリティサーバ１０８と同時に動作するＳＩＰホーム登録機関を含むことができる。
【００２１】
ネットワーク１０６は、ネットワーク１０６に関連付けられた１つ以上のネットワークのシグナリング範囲内にある無線装置の利用可能性を判断及び／又は検出するために、無線ゲートウェイ１２２等の一つ以上のゲートウェイと同時に動作することができる。ネットワーク及び／又はゲートウェイによって検出された無線装置は、存在情報に相当することができ、関連付けられたエンドユーザによる通信の受信可能性を意味又は示す。存在を判断することは、無線装置を検出すること、無線装置を識別すること、及び／又は無線装置で受信及び／又は伝送できる一つ以上のネットワークプロトコルを判断することを含むことができる。同様に、ディスプレイサイズ、コーデックスキーム又は対応するメディア種類等の、装置の機能も感知されることができる。ネットワーク１０６は、無線装置の動的登録に基づき無線装置に対して自動的に検出及び／又は通信するよう構成されることができる。これは、ユーザが手動で明示的な登録をする必要性を取除く。
【００２２】
ＳＩＰモビリティサーバ１０８（以下、ＳＩＰサーバー１０８）は、ＩＰ音声呼及び／又はマルチメディア会議電話等のセッションを生成、変更及び／又は終了するためのＳＩＰシグナリングプロトコルを採用できる任意の装置を含むことができる。ＳＩＰサーバー１０８は、トラステッドドメインで動作する時にエンドユーザ及び／又はエンドシステムの識別を他のＳＩＰサーバーがアサートできるようにするためのプライベート拡張で増強されることができる。例えば、ＳＩＰサーバー１０８は、ＵＲＩ等のユーザ及び／又はネットワーク識別子のデータベースを維持するためのＳＩＰ登録機関として動作することができる。ネットワーク識別子は、被呼者の装置を見つけるために使用されることができる。例えば、ユーザは、無線ＳＩＰ電話に関連付けられた固有のネットワーク識別子を有することが想定できる。携帯装置は、ネットワーク全体を介し及び／又はネットワークを横切って移動することができるので、ＳＩＰ登録機関は、無線ＳＩＰ電話が特定の時点で到達しうるネットワークの特定部分にネットワーク識別子を関連付ける情報を維持することができる。無線ＳＩＰ電話が１つの位置から他の位置へ移動する時、ＳＩＰ登録機関データベースは、装置の現在位置を反映するために更新されることができる。ＳＩＰ登録機関は、ＳＩＰベースのマルチモード通信セッションを容易にするために、ソース装置及び送信先装置の両方に対してネットワーク識別子を維持することができる。
【００２３】
ネットワーク１００内における１つ以上のＳＩＰサーバーの使用は、シームレスなモードアジャイル通信を容易にすることができる。１つより多いＳＩＰサーバーがネットワーク１００で動作している時、１つのＳＩＰサーバーは、ホーム登録機関として動作することができ、他のＳＩＰサーバーは、訪問ＳＩＰサーバーとして動作することができる。本発明の実施形態は、訪問ＳＩＰ登録機関及び／又はＳＩＰサーバーの必要なしでモードアジャイル通信を容易にするためのホーム登録機関として動作する単独のホームＳＩＰサーバーを使用することができる。ＳＩＰサーバー１０８は、ネットワーク１００と同時に動作するＳＩＰ装置の代わりに、ネットワーク１００を横切るＳＩＰメッセージの転送を容易にするためにＳＩＰプロキシサーバーの機能性等、ホーム登録機関として機能する時に追加の機能性を含むことができる。
【００２４】
ＣＰＥインタフェース１１０は、一つ以上の加入者宅内機器部分をネットワーク１０６へ通信可能に連結できる任意の装置を含むことができる。ＣＰＥインタフェース１１０は、オフィスビル、大学キャンパス、政府施設及び／又は病院等の、一つ以上の加入者位置に関連付けられることができる。ＣＰＥインタフェース１１０は、加入者所有の通信装置をネットワーク１０６に連結するためのハードウェア及び／又はソフトウェアを含むことができる。また、ＣＰＥインタフェース１１０は、ファイアウォール及び／又はネットワークアドレス変換（ＮＡＴ）等のセキュリティ装置を含むことができる。また、１つの実施形態において、ＣＰＥインタフェース１１０は、マルチモードソケット１１６（以下、ソケット１１６）と同時に動作するデスクトップコンピュータ１１２とＩＰ電話１１４とをネットワーク１０６に接続する加入者ＬＡＮを含むことができる。ＣＰＥインタフェース１１０は、ネットワーク１０６が利用可能なデータを作成する前にデスクトップコンピュータ１１２、ＩＰ電話１１４及び／又はソケット１１６から通信データを集約することができる。
【００２５】
デスクトップコンピュータ１１２は、動作を実行するための機械読取可能な命令を処理できる任意の装置を含むことができる。デスクトップコンピュータ１１２は、個人用コンピュータ、ラップトップ、サーバー及び／又はワークステーション等の従来のコンピュータを含むことができる。ＩＰ電話１１４は、パケットネットワーク上で電話音声データストリームを送受信できる任意の電話装置を含むことができる。例えば、イーサネット（登録商標）ＬＡＮに直接に連結されることができるＳＩＰベースのＩＰ電話である。また、マルチモードソケット１１６が示すとおり、ＩＰ電話器具は、マルチモード通信装置に対してアクセスポイントとしての機能を果たすことができる。マルチモードソケット１１６は、ＩＰ電話がソートのパススルーとして機能する状態で、マルチモード通信装置に対して便利なアクセスポイントを提供する。例えば、マルチモード装置は、バッテリ充電、スピーカ付電話又はエンハンスドディスプレイ機能だけでなく、ネットワーク接続性を受信するためにソケットへ“ドック”することができる。マルチモード装置は、ＩＰ電話１１４のＬＡＮ接続を介して接続をなす。この配列は、ＬＡＮの差込口を節約し、ユーザの便宜に供する。適切に装着された場合、また、マルチモード通信装置は、電気的又は物理的接続が装置間で必要とされないように、ＩＰ電話へブルートゥース無線接続を確立することができる。マルチモード通信装置は、ブルートゥースリンクの利用可能性を感知し、ユーザが望む場合にはアクセスモードの切換を実行することができる。マルチモード装置は、ＩＰ電話の識別を感知し、ＩＰ電話の識別に従ってブルートゥースアクセスリンクを選択的に有効にすることができる。
【００２６】
ＩＰ電話は、企業内等における一組の当該電話を構内電話交換（ＰＢＸ）として機能させる一部の“ＩＰ  ＰＢＸ”システムにすることができる。ＰＢＸ電話は、企業内ダイアルプランを実施し、呼送信、呼転送、電子機器での会議、代理応答及び／又はハントグループの対応等、向上された呼機能を提供する。
【００２７】
ハンドヘルドコンピュータ１１８は、動作を実行するために機械読取可能な命令を処理できる任意の装置を含むことができる。例えば、ハンドヘルドコンピュータ１１８は、データを送受信するための無線通信インタフェースを有するパームトップコンピュータを含むことができる。ハンドヘルドコンピュータ１１８の実施形態は、無線ＬＡＮ１０２、２Ｇ／３Ｇ無線ネットワーク１２０及び／又はネットワーク１０６で動作することができる。
【００２８】
２Ｇ／３Ｇ無線ネットワーク１２０は、２Ｇ及び／又は３Ｇ準拠の無線信号を送受信できる任意のネットワークを含むことができる。例えば、２Ｇ／３Ｇ無線ネットワーク１２０は、無線信号を送受信するための一つ以上のベースステーションを有するセルラーネットワークとして実施されることができる。ベースステーションは、無線装置１２４Ａ及び１２４Ｂの一方及び／又は両方に関連付けられた被呼者に発呼者が連絡を試みる時、２Ｇ無線装置１２４Ａ及び／又は３Ｇ無線装置１２４Ｂにデータを送信することができる。
【００２９】
２Ｇ／３Ｇ無線ネットワーク１２０は、モバイルネットワークに関連付けられた加入者情報を含むデータベースを実施するためのホーム位置レジスタ（ＨＬＲ）を含むことができる。ＨＬＲに含まれた情報は、加入者名、請求情報、アカウント状態及び／又は加入者の装置情報を含むことができる。ＨＬＲは、無線ネットワークの使用料金を加入者に請求する等の動作機能を実行するための支払サーバーのような他の装置に交信することができる。２Ｇ／３Ｇ無線ネットワーク１２０は、モビリティの手順をＳＳ７アプリケーションに提供するためにモバイルアプリケーション部（ＭＡＰ）プロキシを含むことができる。ＳＳ７のＭＡＰ層は、ローミング加入者にサービストランスパレンシ（service transparency）を提供する一方で、登録、認証及び／又は呼終了等のモビリティの機能に対応するプロトコル詳細を含むことができる。ＨＬＲ及び／又はＭＡＰプロキシは、２Ｇ無線装置１２４Ａに２Ｇサービスを提供するために、及び／又は３Ｇ無線装置１２４Ｂに３Ｇサービスを提供するために２Ｇ／３Ｇ無線ネットワーク１２０で動作することができる。
【００３０】
無線ゲートウェイ１２２は、無線ＬＡＮ１０２、ネットワーク１０６及び／又はＰＳＴＮ１２６等の他のネットワークで２Ｇ／３Ｇ無線ネットワーク１２０をインタフェースできる任意の装置を含むことができる。無線ゲートウェイ１２２は、２Ｇ／３Ｇ準拠のプロトコルをＩＰ準拠のプロトコルに変換することができる。また、無線ゲートウェイ１２２は、ネットワーク１０６が利用可能なデータを作成する時、ＳＩＰ等のプロトコルを実施することができる。無線ゲートウェイ１２２は、通信データを受信し、通信データを処理し、通信データをハンドオフし、及び／又はエラー報告或いは訂正のような他の機能を実行することができる。
【００３１】
２Ｇ無線装置１２４Ａは、２Ｇ準拠のデータを送受信できる任意の装置を含むことができる。例えば、２Ｇ無線装置１２４Ａは、２Ｇ準拠の携帯電話、２Ｇ準拠のＰＤＡ及び／又は２Ｇ準拠のハンドヘルドコンピュータを含むことができる。３Ｇ無線装置１２４Ｂは、３Ｇ準拠のデータを送受信できる任意の装置を含むことができる。例えば、３Ｇ無線装置１２４Ｂは、３Ｇ準拠の携帯電話、３Ｇ準拠のラップトップコンピュータ及び／又はリモートモニタリング装置のような３Ｇ準拠の特定用途装置を含むことができる。
【００３２】
ＰＳＴＮ１２６は、一般電話システム（ＰＯＴＳ）準拠のデータを伝えることができる任意のネットワークを含むことができる。ＰＳＴＮ１２６は、“ツイストペア”の銅伝導体及び／又は光ファイバ上でデータを伝えるための電話局及び／又は切換を含むことができる。ＰＳＴＮ１２６は、さまざまな地点で、アナログ信号又はデジタル信号を受入れて伝えることができる。
【００３３】
ＰＳＴＮ電話１２８は、ＰＳＴＮ及び／又はＰＯＴＳ準拠のデータを送受信できる任意の装置を含むことができる。ＰＳＴＮ電話１２８は、スタンドアローン装置として実施されることができるか、又はモデムを有するデスクトップコンピュータのような他の装置に組込まれることができる。
【００３４】
ネットワークゲートウェイ１３０は、ＰＳＴＮ及び／又はＰＯＴＳ準拠のデータを、ネットワーク１０６、無線ＬＡＮ１０２及び／又は２Ｇ／３Ｇ無線ネットワーク１２０に互換性があるフォーマットに変換できる任意の装置を含むことができる。ネットワークゲートウェイ１３０は、ＰＳＴＮフォーマットから、ネットワーク１０６に互換性があるフォーマットへ変換するためのハードウェア及び／又はソフトウェアを含むことができる。また、ネットワークゲートウェイ１３０は、ファイアウォール等のセキュリティ装置及び／又は手段を含むことができる。
【００３５】
ＰＤＡ１０４、ＩＰ電話１１４、ソケット１１６、２Ｇ電話１２４Ａ及び／又は３Ｇ電話１２４Ｂ等の、ＳＩＰ有効無線及び有線装置は、利用可能なネットワークに関連付けられた関連通信スタック及び／又は物理的ネットワークポートを用いて全ての利用可能なネットワークにアクセスするよう構成されることができる。例えば、通信スタック及び／又は物理的ネットワークポートは、無線ＬＡＮ１０２、ネットワーク１０６、２Ｇ／３Ｇ無線ネットワーク１２０及び／又はＰＳＴＮネットワーク１２８から受信したデータ上で動作するよう適合されることができる。通信スタックは、特定のネットワークプロトコルに関連付けられた出入メッセージをパースするための呼可能機能又は呼出方法を含む実行可能なコードを用いてソフトウェアスタックとして実施されることができる。例えば、ＰＤＡ１０４は、ＳＩＰデータグラムをパースするための通信スタックを含むことができる。通信スタックは、一つ以上のネットワークプロトコルで動作するクライアント装置と一つ以上のネットワークとの間の通信を可能にする。本発明の実施形態に従うＳＩＰ有効無線及び／又は有線装置は、１つの通信メディア又はモードから、他の通信メディアへハンドオフを開始することができる。ハンドオフは、通信セッション中に交換された装置の位置、ユーザプリファレンス及び／又はデータの種類に基づき開始されることができる。装置は、代わりの通信モード又はリンクの一部に対するその近接度を検出するか、或いは代わりの通信モード又はリンクの利用可能性を検出して、通信モードの変更を開始することができる。
【００３６】
例示的な装置アーキテクチャ
図２は、本発明の原理に従うマルチモード通信端末又はエンドポイント装置の実施形態に用いることができる汎用通信装置の例示的な構成を示す。アーキテクチャ２００は、本発明の精神から逸脱することなく、コンピュータ、ネットワーク装置及び／又は非マルチモード通信装置で実施されることができる。図２に関連して図示された実施形態は、例示的なものであり、代わりに他の配置が使用できる。
【００３７】
アーキテクチャ２００は、プロセッサ２２０、バス２２２、メモリ２３０、読取専用メモリ（ＲＯＭ）２４０、記憶装置２５０、入力装置２６０、出力装置２７０及び通信インタフェース２８０を含むことができる。バス２２２は、アーキテクチャ２００の構成要素の間で通信を可能にし、データ及び命令を伝達できる光学又は電気導体を含むことができる。
【００３８】
プロセッサ２２０は、命令の解釈及び実行と並列プロセッサ構成等のスタンドアローン又は分散構成における実施とが可能な任意の種類の従来のプロセッサ、マイクロプロセッサ又は処理ロジックを含むことができる。メモリ２３０は、プロセッサ２２０が実行する情報及び命令を記憶するランダムアクセスメモリ（ＲＡＭ）又は他の種類の動的記憶装置を含むことができる。また、メモリ２３０は、プロセッサ２２０が命令を実行する間、一時的変数又は他の中間情報を記憶するのに使用されることができる。
【００３９】
ＲＯＭ２４０は、プロセッサ２２０のための静的情報及び命令を記憶する従来のＲＯＭ装置及び／又は他の静的記憶装置を含むことができる。記憶装置２５０は、情報及び命令を記憶するための、磁気ディスク又は光学ディスク及びそれに相当するドライブ、及び／又はいくつかの他の種類の磁気又は光学記録媒体及びそれに相当するドライブを含むことができる。
【００４０】
入力装置２６０は、キーボード、マウス、ペン、音声認識及び／又はバイオメトリックメカニズム等のような、オペレータがアークテクチャ２００に情報を入力できる一つ以上の従来のインタフェース、構成要素及び／又はメカニズムを含むことができる。出力装置２７０は、オペレータに情報を出力する一つ以上の従来のメカニズムを含むことができ、ディスプレイ、プリンタ、一つ以上のスピーカ等を含むことができる。通信インタフェース２８０は、アーキテクチャ２００が他の装置及び／又はシステムに対して通信できるようにする任意のトランシーバ型メカニズムを含むことができる。例えば、通信インタフェース２８０は、ＬＡＮへのモデム又はイーサネット（登録商標）インタフェース、３Ｇ装置１２４Ｂを２Ｇ／３Ｇ無線ネットワーク１２０に連結するための無線トランシーバ等を含むことができる。
【００４１】
アーキテクチャ２００は、メモリ２３０に含まれた命令のシーケンスを実行するプロセッサ２２０に応じて処理を実行することができる。当該命令は、記憶装置２５０等の他のコンピュータ読取可能な媒体から、又は通信インタフェース２８０を介して別個の装置から、メモリ２３０が読取ることができる。コンピュータ読取可能な媒体は、任意のこれらのメディア上で命令が維持されることができるように、一つ以上のメモリ装置、搬送波又はデータ構造を含むことができることが理解されるべきである。メモリ２３０に含まれた命令シーケンスの実行は、方法図及び信号フロー図に関連して以下に説明される一定の行為をプロセッサ２２０に実行させることができる。代替の実施形態において、ハードワイヤードの回路構成は、アーキテクチャ２００によって実行された機能を実施するためにソフトウェア命令に代替して又は関連して使用されることができる。また、他の実施形態は、フィールドプログラマブルゲートアレイ（ＦＰＧＡ）、特定用途向け集積回路（ＡＳＩＣ）、専用チップセット、又は不揮発性読取専用メモリに記憶されたファームウェアのような技術を含むことができる。故に、本発明に従う実施形態は、ハードウェア回路構成及びソフトウェアの任意の特定の組合せに限定されない。
【００４２】
当業者であれば、図２に関連して実施されることができる本明細書中に説明された各種機能又は動作の態様を理解することができる。例えば、通信インタフェース２８０は、いくつかの潜在的アクセスリンク又はアクセスモードの利用可能性又は相対的品質属性をモニタすることができる。この情報は、バス２２２を介してプロセッサ２２０に提供されることができ、実行過程は、切換を行うべきか否かを決定することができ、後の図で説明されるようにネットワークへシグナリングを送信することによって切換を開始することができる。また、プロセッサ２２０は、ユーザへ交信して切換に関するユーザプリファレンスを受信するために、及び提案又は実際の切換イベントをユーザに報告するために、（複数の）入力装置２６０及び（複数の）出力装置２７０を使用するユーザインタフェースアプリケーション又は過程を実行することができる。モード切換に関するユーザプリファレンスは、記憶装置２５０に持続的に記憶されるか、又はメモリ２３０に一時的に記憶されることができる。これらのプリファレンスは、切換に影響を与えるよう決定が行われるように、プロセッサ２２０によってアクセスされることができる。
【００４３】
例示的なソフトウェア構成
図３は、本発明の原理に従うマルチモード通信装置で実施されることができる例示的なソフトウェア構成を示す。ソフトウェア構成３００は、特にオペレーティングシステム３０２、アプリケーション３０４、サービス３０６、支払い３０８、エンターテイメント３１０、データ３１２、インタフェース３１４及びネットワーキング３１６を含むことができる。図３の例示的なソフトウェア構成は、通信セッションの間、特に実質的にアクティブ状態でセッションを維持する間、１つの通信モードから他の通信モードへの変更をマルチモード装置に開始させるよう構成されることができる。これは、アクセスモードの変更が発生する任意の時に通信パーティ間で通信を回復する必要性を回避する。理想的に、このモード変更は、ユーザ通信の妨害が殆どなく発生する。
【００４４】
オペレーティングシステム３０２は、全ての動作を制御し、無線及び／又は有線マルチモード通信装置を機能するためのソフトウェアを含むことができる。例えば、オペレーティングシステム３０２は、無線装置上で動作するアプリケーション間でスケジューリング及び対話を制御することができる。オペレーティングシステム３０２は、電話番号、カレンダー入力及び／又は音声メッセージ等のユーザ入力を受入れるのに必要な機能性を含むことができる。オペレーティングシステム３０２は、メモリ使用量、インタフェース使用量及び／又は診断ルーチンを制御及び／又は管理することができる。オペレーティングシステム３０２の実施は、装置固有であり、特定のマルチモード通信装置の製造業者に依存して変更できる。
【００４５】
アプリケーション３０４は、機能及び／又は一連の機能、及び／又は動作を実行するための機械実行可能な命令を含む一つ以上のソフトウェアアプリケーションを含むことができる。例えば、アプリケーションは、マルチモード通信装置上のカレンダーの維持を対象にすることができる。アプリケーション３０４は、ユーザ入力データを受入れることができ、またネットワークに連結されたサーバー上に常駐する一つ以上のリモートアプリケーションにデータを同期することができる。特に、いくつかのソフトウェア暗号化アプリケーション又は過程は、アクセスモード切換に関連してユーザから情報を収集し、アクセスモード切換が発生するか又は既に発生したことをユーザに報告し、アクセスモード切換を実行するか否かの選択に関する決定又は比較を行うよう作動する。
【００４６】
サービス３０６は、マルチモード通信装置とサービスを提供する送信先装置との間の通信を容易にするための機械実行可能な命令を有するソフトウェアを含むことができる。例えば、サービスは、サービスプロバイダによって動作される電子メールサービスにすることができる。電子メールサービスは、無線マルチモード通信装置に対してメッセージを配信又は受信するよう動作する。サービス３０６の実施形態は、サービスネットワーク内の無線装置の位置に基づき無線装置に最新交通情報を配信するためのリアルタイム交通情報機能、リアルタイム株式取引情報、マルチモード通信装置の位置に基づきリアルタイム天気予報情報等の、任意の種類のサービスを含むことができる。
【００４７】
支払い３０８は、一時的トランザクションを作成及び／又は受信するためのマルチモード通信装置と同時に動作する一つ以上のソフトウェアアプリケーションを含むことができる。例えば、無線マルチモード装置は、金融機関との交信を介してオンライン支払いを行うために支払いアプリケーションを実行することができる。
【００４８】
エンターテイメント３１０は、エンターテイメント関連データの送信、受信及び／又はディスプレイを容易にするためのソフトウェアアプリケーションを含むことができる。例えば、エンターテイメントモジュールは、データ通信ネットワーク上で注文されたムービーをディスプレイするためのそれに関連付けられたＬＣＤディスプレイを有するＩＰ電話１１４上で動作することができる。
【００４９】
データ３１２は、記憶されたデータを含む一つ以上のコンピュータ読取可能なデータ構造を含むことができる。データ３１２は、実質的に任意の種類のアプリケーション及び／又はサブジェクトに関連付けられたコンピュータ読取可能な情報を含むことができる。例えば、データ３１２は、無線マルチモード通信装置で受信された信号強度測定データを扱うコンピュータ読取可能な情報を含むことができる。例えば、無線マルチモード装置は、一つ以上の無線ネットワークから受信した信号強度を記録することができる。無線マルチモード装置は、どの無線ネットワークが信号強度データに基づき通信セッションに使用されるべきかを判断することができる。
【００５０】
インタフェース３１４は、一つ以上の通信プロトコルを用いてネットワークに対する通信を容易にするソフトウェアを含むことができる。インタフェース３１４は、無線装置上の発信データを所定のネットワークに準拠するフォーマットへ変換するための機械読取可能な命令を含むことができる。例えば、インタフェース３１４は、２Ｇ無線装置１２４Ａ上の発信データを２Ｇ／３Ｇ無線ネットワーク１２０に準拠するフォーマットへ変換するソフトウェアを含むことができる。インタフェース３１４は、受信データを２Ｇ無線装置１２４Ａに準拠するフォーマットへ変換することができる。インタフェース３１４は、ユーザデータグラムプロトコル（ＵＤＰ）、通信制御プロトコル（ＴＣＰ）及びＩＰだけでなく他のプロトコルも用いて通信を容易にするための命令を含むことができる。インタフェース３１４は、受信データグラムをパースするための一つ以上の通信スタックを含むことができる。通信スタックは、受信データグラムからデータを抽出し、マルチモード通信装置上で動作する他のソフトウェアルーチンが抽出データを利用できるようにする。
【００５１】
ネットワークインタフェース３１６は、一部の開放型システム間相互接続（ＯＳＩ）モデル、即ちＯＳＩ層を実施するための機械読取可能な命令を含むことができる。例えば、ネットワークインタフェース３１６は、特定のネットワークプロトコルを実行するネットワークに対してマルチモード通信装置が通信できるようにするＯＳＩモデルの物理層（層１）及び／又はデータリンク層（層２）の実施を容易にすることができる。ネットワークインタフェース３１６は、ネットワークインタフェースカード（ＮＩＣ）等のハードウェアと同時に動作することができる。ネットワークインタフェース３１６は、マルチモード装置及び／又はそのユーザによって開始された命令に基づき、１つの通信モードから他の通信モードへマルチモード装置を変更するよう動作することができる。
【００５２】
マルチモード通信装置は、ユーザが必要なものを満たすために、及び／又は各種ネットワークの種類との統合のために必要に応じて、他のソフトウェアの機能性を含むことができる。また、マルチモード通信装置は、全ソフトウェアアプリケーションが通信装置上に常駐するスタンドアローンモードで、及び／又は残りのソフトウェアがネットワーク接続を用いてリモートアクセスされる間に一部のソフトウェアが通信装置上に常駐する分散モードで、ソフトウェアを採用することができる。
【００５３】
例示的な通信ソケット
図４は、マルチモード通信装置を連結するためのマルチモードソケットの例示的な実施形態を示す。本発明に従ういくつかのデザインにおいて、通信装置は、ソケットに対して、物理的に“ネスト”するか、又は機械的に連結することができるが、これは、本発明に必要なものではないことが分かる。また、通信装置は、ソケットに連結される時にいくつかの電気的接続を達成することができる。電気的接続は、直流だけでなくアナログ又はデジタル信号を提供することができ、装置の電力及び／又は装置のバッテリ充電に役立つことができる。通信装置はさらに又は代わりに、ソケットを介して通信を通過させるために、短距離無線信号又は光信号を採用することができる。図４に示されたマルチモード通信装置２００は、インタフェース４１４を介してソケット１１６に連結される。インタフェース４１４は、所定のデザインの必要に応じて、機械的、電気的、電磁的又は光学的連結の任意の組合せを含むことができる。
【００５４】
特に、ソケット１１６は、バッテリ充電器４０２、ＰＣ／ラップトップ同期モジュール４０４、イーサネット（登録商標）インタフェース４０６、ディスプレイ装置４０８、スピーカ４１０及び／又はマイクロフォン４１２を含むことができる。
【００５５】
バッテリ充電器４０２は、バッテリを充電できる任意の装置を含むことができる。バッテリ充電器４０２は、２Ｇ無線装置１２４Ａ等の通信装置を受入れるためのクレードルとして動作するよう構成及び配置されることができる。バッテリ充電器４０２は、２Ｇ無線装置１２４Ａに関連付けられたバッテリを充電することができ、充電する間に２Ｇ無線装置１２４Ａに対してデータを送受信するための電気的構成要素及び／又は光学メディアを含むことができる。例えば、ソケット１１６における広帯域光ファイバは、バッテリ充電器４０２上に搭載される時に２Ｇ無線装置１２４Ａに関連付けられた対応する光ファイバコネクタに取外し可能に連結することができる。２Ｇ無線装置１２４Ａは、バッテリ充電器４０２に係合される間、ＣＰＥインタフェース１１０及びソケット１１６を介してリモート装置に対する広帯域マルチモード通信に参加することを可能にする。代わりに、２Ｇ無線装置１２４Ａは、ブルートゥース等の自由空間無線プロトコルを用いてソケット１１６へ通信することができる。
【００５６】
ＰＣ／ラップトップ同期モジュール４０４は、携帯装置２００と比較的固定されたＰＣ又はラップトップコンピュータとの間で、電子メールファイル、カレンダーデータ及びアドレスブックデータの同期及び調整を可能にするために、携帯装置２００（ＰＤＡ等）へ通信することができる。ラップトップは、赤外線リンク及び／又は短距離無線リンク等のハードワイヤード接続又は自由空間リンクを用いてソケット１１６へ通信することができる。
【００５７】
イーサネット（登録商標）インタフェース４０６は、利用可能なアクセスモードとしてダイレクトＬＡＮ接続を携帯装置に提供するために、ＩＰ電話１１４及び／又はＣＰＥインタフェース１１０へ直接にソケット１１６を通信可能に連結するためのコネクタ及び／又はロジックを含むことができる。イーサネット（登録商標）インタフェース４０６は、例えばイーサネット（登録商標）ネットワークにソケット１１６を取外し可能に連結するための業界標準ＲＪ−４５レセプタクルを含むことができる。
【００５８】
ディスプレイ装置４０８は、２Ｇ無線装置１２４Ａ等の装置へディスプレイ機能を提供するために、カラー液晶ディスプレイ（ＬＣＤ）等の任意の種類のディスプレイを含むことができる。ディスプレイ装置４０８は、２Ｇ無線装置１２４Ａがソケット１１６へ動作可能に連結される間に高解像度ビデオ及び／又は画像のディスプレイを容易にすることができる。
【００５９】
スピーカ４１０及び／又はマイクロフォン４１２は、ソケット１１６へ動作可能に連結される間、２Ｇ無線装置１２４Ａ等の装置へスピーカフォン及び／又はエンハンスド音声機能を提供することができる。例えば、２Ｇ無線装置１２４Ａは、それに関連付けられたユーザが２Ｇ無線ネットワークによって提供された帯域幅よりも広い帯域幅を要求するビデオ会議に参加することができるように、ソケット１１６を用いてＳＩＰモビリティサーバ１０８に識別情報を提供することができる。ソケット１１６は、通信セッションの間に１種類のメディアセッションから他のセッションへの変更を従来の装置及び／又はマルチモード装置が開始できるよう構成されることができる。ソケット１１６は、メディア種類又はメディアパラメータ（帯域幅、コーデック、スキーム、解像度等）における変更を容易にするためにネットワーク装置に対する必要な通信を達成することができる。
【００６０】
ＳＩＰベースのモバイル通信のための例示的なシステム
図５は、本発明の原理に準拠するＳＩＰベースの通信セッションに参加する間、多数のネットワークを横切ってトラバースする移動局への通信を容易にするための例示的なシステムを示す。例えば、通信セッションに参加する移動局は、通信セッションを妨害することなく、第１ネットワークプロトコルで動作する第１ネットワークから第２ネットワークプロトコルで動作する第２ネットワークへ横切ることができる。第１ネットワーク及び第２ネットワークは両方とも、Ｗｉ−Ｆｉネットワークのように、セルラーネットワークである第１ネットワークと無線ＩＰネットワークである第２ネットワークとを備えた無線ネットワークにすることができる。本発明の原理に従う実施形態は、移動局と送信先装置との間に発生する継続中の通信セッションを妨害することなく、第１ネットワークから第２ネットワークへ移動局がトラバースできるようにする。本発明の原理に従う実施形態は、１つのネットワークから他のネットワークへ、及び／又は１つの通信モードから他の通信モードへの変更を携帯装置に開始させることができる。
【００６１】
システム５００は、ネットワーク１０６と、開始位置５０４及び終了位置５０６を有する移動局５０２と、第１外部ネットワーク５０８と、第２外部ネットワーク５１０と、参加局５１２と、ホーム登録機関及びプロキシサーバー５１４（以下、ホームＳＩＰ登録機関５１４）と、ホームネットワーク５１６とを含むことができる。
【００６２】
ネットワーク１０６は、図１に従って説明されたネットワーク１０６と実質的に類似したネットワークを含むことができる。１実施形態において、ネットワーク１０６は、インターネットのような公衆ネットワークである。
【００６３】
移動局５０２は、マルチモード通信セッションに参加できる任意の無線装置を含むことができる。移動局５０２は、開始位置５０４で第１外部ネットワーク５０８を介して参加局５１２に対するＳＩＰベースの通信セッションを開始することができる。第１外部ネットワーク５０８を介した通信中に、移動局５０２は、第２外部ネットワーク５１０へ移動することができる。第２外部ネットワーク５１０は、位置決めされることができ、終了位置５０６で移動局５０２に対して通信をすることを可能にする。第１外部ネットワーク５０８及び第２外部ネットワーク５１０は、ゲートウェイを介してネットワーク１０６に動作可能に連結されることができる。
【００６４】
移動局５０２は、第１外部ネットワーク５０８から第２外部ネットワーク５１０への移行を開始するよう構成されることができる。移動局５０２は、２つのネットワークを比較できる一つ以上の属性に基づき変更を要求することができる。これらの相対的な属性は、例えば信号強度又は信号対雑音比、ビットエラー率、帯域幅、物理的近接度、質、信頼性、コスト、セキュリティレベル、対応機能を含むことができる。
【００６５】
いくつかの実施形態において、ユーザプリファレンスは、１つのネットワークから他のネットワーク又は１つのアクセスモードから他のモードへ切換する決定に対してこれらの属性がどのくらい比較考量されたかについて影響を与えることができる。例えば、ユーザは、ネットワーク間の違いが切換を正当化するのに十分強制的である閾値を表現することができる。代わりに又はさらに、ユーザプリファレンスは、他よりも好まれる所定のアクセスモード又は所定ネットワークの識別に関して表現及び実行されることができる。これらのプリファレンスは、任意の特定の通信セッションのコンテキストに対してかなり前及び外で特定されることができる。
【００６６】
ユーザプリファレンスは、携帯装置において固定記憶装置又は不揮発性メモリで維持されることができる。ユーザプリファレンスは、装置から遠隔の位置で保持され、必要な時、電源入力時、又はネットワークへの装置の登録時に装置が利用することができる。
【００６７】
半自動モードにおいて、装置は、実行可能な又は好ましい代わりのネットワーク又はアクセスモードが利用可能か否かを判断し、その後切換を実行するための許可をユーザに促すことができる。このアプローチにより、ユーザは、決定に参加し、例えば会話の中断に合わせるように切換のタイミングを制御することができる。ユーザによる続行決定を受信すると、その後装置は、切換を開始するために以下に説明されるようなシグナリングを実行する。
【００６８】
ユーザプリファレンスが切換決定のために考慮されたか否かに関わらず、及びユーザ入力がセッション中に“リアルタイム”で求められたか否かに関わらず、装置は、当該切換が発生したこと、又はこれから発生することをユーザに報告することができる。これは、中間セッション切換のユーザ認識を高めることができる。装置からの報告は、視覚又は音声刺激の形式に、又は瞬間振動等の機械動作にもできることが想像される。例えば耳又は口の近くで端末として携帯電話を用いる人は、ディスプレイを見ることができないが、特定のパターンを有し、アクセスモード切換が発生したことを微妙に示す僅かな振動を会話中に受けることができる。ユーザは、コストの変動について、又は一時的信号妨害が発生して会話中に話し言葉の受信に影響を与える時について認識することを希望できる。
【００６９】
中間セッションモード切換を実行する場合、装置は、新たな接続が首尾よく確立された時にユーザに合図を送る。単独で、又は上述した他の相互作用と同時に、この特徴は、切換後に信頼できる接続を確立した時をユーザに明示するためのいくつかの実施形態において役立つことができる。
【００７０】
上記アプローチのいくつかの組合せが可能である。装置は、代わりの接続が切換の考慮に十分か否かに影響を与えるよう予め設定されたユーザプリファレンスを採用し、その後に切換を実行するための許可をユーザに促すことができる。
【００７１】
１つのアクセスモードから他のモード、又は１つのネットワークから他のネットワークへの切換に影響を与えるユーザプリファレンスは、各種方法で入力されることができる。ユーザは、（アプリケーション３０４のような）装置によって提供されたユーザインタフェースアプリケーションに対する交信等によって直接に装置にプリファレンスを入力することができる。予め、ユーザプリファレンスは、例えばユーザプロファイルに存在することができるウェブサイトを介して入力されることができ、その後切換決定を行うための装置及び／又はネットワークに対して利用可能にすることができる。検出された無線信号等のリアルタイム状況は、装置内全体の基準又は他の構成要素との協働の基準に関して評価されることができる。
【００７２】
実施形態に依存して、ユーザプリファレンスは、単純又は詳細にすることができる。ユーザプリファレンスの一形式は、携帯装置がアクセスモードの自動又は半自動の切換を実行することができるか否かを単純に表現することができる。代わりに、ユーザプリファレンスは、モード切換が発生する基準又は閾値状態に関する詳細を表現することができる。本発明は、これら変更の特定の１つの範囲に限定されず、採用された実施形態にどの変更を配置するかについては、デザイン選択の事項にすることができる。
【００７３】
いくつかの状況で役立つことができるユーザプリファレンスの一実施形態は、時間遅延又は持続値である。この値は、装置が後続通信のための候補として代わりのリンク、ネットワーク又はアクセスモードを検討する前に、それが利用可能であるとして持続的に検出されなければならない時間間隔に関する。これは、例えば携帯ユーザが公衆ＷｉＦｉホットスポットを通過する時に発生しうる好ましくない過渡切換を避ける。時間遅延は、異なる閾値をネットワーク種類、ネットワーク識別等の関数として有する程度まで、ユーザによってプログラム可能でもよい。
【００７４】
引続き図５を参照すると、第１外部ネットワーク５０８及び第２外部ネットワーク５１０は、移動局へデータを送信でき、及び／又は移動局からデータを受信できる任意の種類の無線ネットワークを含むことができる。第１及び第２外部ネットワーク５０８、５１０は、単独の無線ネットワークプロトコルを用いて動作することができ、又は異なる無線ネットワークプロトコルを用いて動作することができる。第１及び第２外部ネットワーク５０８、５１０は、ネットワーク１０６からデータを受信すること、及び／又はネットワーク１０６が利用できるデータを作成することができる。例えば、第１外部ネットワーク５０８は、移動局５０２から被呼者に関連付けられた電話番号を受信することができる。第１外部ネットワーク５０８は、ホームＳＩＰ登録機関５１４が被呼者に関連付けられた位置を判断して移動局５０２の代わりに呼を完了することができるように、ネットワーク１０６が利用できる電話番号を作成することができる。
【００７５】
参加局５１２は、ネットワークにデータを送信及び／又はネットワークからデータを受信できる任意の装置を含むことができる。参加局５１２は、ＰＤＡ１０４、ハンドヘルドコンピュータ１１８、２Ｇ無線装置１２４Ａ及び／又はＰＳＴＮ電話１２８等の通信装置を含むことができる。参加局５１２は、呼を作成する時にソース装置として、及び／又は呼を受信する時に送信先装置として動作することができる。
【００７６】
ホームＳＩＰ登録機関５１４は、ネットワーク上でホーム位置登録機関として構成及び動作可能な任意の装置を含むことができる。ホームＳＩＰ登録機関５１４は、スタンドアローン構成で実施されることができ、及び／又はＳＩＰ携帯サーバー１０８に組合せることができる。ホームＳＩＰ登録機関５１４は、ホームネットワーク５１６及び／又はネットワーク１０６に連結されることができる。ホームＳＩＰ登録機関５１４は、移動局５０２及び／又は移動局５０２が通信できる関連ネットワーク間の通信に影響を与えるよう動作することができる。ホームＳＩＰ登録機関５１４は、移動局５０２から一つ以上の参加局５１２へデータを伝えるための最適経路を判断する等の機能を実行することができる。例えば、移動局５０２が第１外部ネットワーク５０８に関連付けられたサービス領域のエッジに到達する時、ホームＳＩＰ登録機関５１４は、ネットワーク層２を用いて、第１外部ネットワーク５０８から第２外部ネットワーク５１０へのハンドオフを容易にすることができる。また、ホームＳＩＰ登録機関５１４は、ホームネットワーク５１６に移動局５０２を接続することができる。
【００７７】
ホームネットワーク５１６は、移動局５０２に関連付けられた第１ネットワークを含むことができる。装置がホームネットワーク５１６のサービス領域内の位置に関連付けられる時、ホームネットワーク５１６は、通信装置からデータを受信するよう構成されることができる。
【００７８】
通信は、移動局５０２がＳＩＰ準拠のＩＮＶＩＴＥ又はＲＥ−ＩＮＶＩＴＥ要求を第１外部ネットワーク５０８に送信する時、システム５００を用いて行われることができる。ＩＮＶＩＴＥ要求は、移動局５０２との通信セッションに送信先装置を参加させる要求として動作することができる。ＩＮＶＩＴＥ要求は、ストリーミングメディアセッション及び／又はマルチキャスト送信を記述するためのテキストベースのフォーマットを定義することができる“接触”ヘッダー領域と更新されたセッション記述プロトコル（ＳＤＰ）とを含むことができる。第１外部ネットワーク５０８は、ＩＮＶＩＴＥ要求が受信及び理解されたことを示すために、２００ＯＫ応答等のメッセージを発することができる。
【００７９】
移動局５０２は、２００ＯＫ応答を受信したことを確認するために、ＡＣＫ応答等の確認応答を発することができる。移動局５０２は、確認応答を送信した後、第１外部ネットワーク５０８に対してデータを送受信することができる。例えば、ＳＩＰ有効通信セッションは、ＩＮＶＩＴＥ、２００ＯＫ及びＡＣＫメッセージ交換が発生した後、移動局５０２と第１外部ネットワーク５０８との間で交換されたデータを用いて行われることができる。
【００８０】
通信セッションを確立するためのＩＮＶＩＴＥ、２００ＯＫ及びＡＣＫシンタックスは、システム５００において他の装置によって使用されることができる。例えば、第１外部ネットワーク５０８は、ＩＮＶＩＴＥ要求をネットワーク１０６に送信することができ、ネットワーク１０６は、２００ＯＫ応答を第１外部ネットワーク５０８に送信することができ、第１外部ネットワーク５０８は、確認応答をネットワーク１０６に送信することができる。上記交換の後、第１外部ネットワーク５０８及びネットワーク１０６は、一部の通信セッションとして通信データを交換することができる。本発明の実施形態に関連付けられた装置は、固定及び／又はモバイル通信セッションに関連付けられたパラメータについて交渉するためのＳＩＰを使用することができる。
【００８１】
ＳＩＰベースの通信のための例示的な方法
図６は、本発明の原理に従うＳＩＰベースのサービスを用いてフル機能ＩＰ通信を容易にするための例示的な方法を示す。方法は、移動局５０２等の携帯装置が動的ホスト設定プロトコル（ＤＨＣＰ）を用いてＩＰアドレスを要求する時に開始することができる（段階６０２）。移動局５０２は、一つ以上のネットワーク上でその識別を確立するのに使用されることができるネットワーク識別子をそれが有するように、ＩＰアドレスを要求することができる。移動局５０２は、ネットワーク接続を確立することができ、取得したＩＰアドレスを用いて通信を開始することができる（段階６０４）。例えば、ＩＰアドレスは、ネットワーク上で他の装置に対する移動局５０２を識別するよう動作することができる。ルータ、ファイアウォール及び／又は切換等のネットワーク装置は、移動局５０２から送信されたデータがネットワークを横切って通過できるようにするためのＩＰアドレスを使用することができる。また、ネットワーク装置は、移動局５０２へデータを配信するためにＩＰアドレスを使用することができる。最適なＮＡＴ／ファイアウォールトラバース経路は、従来技術を用いて判断されることができる（段階６０６）。例えば、トラバース経路は、ＩＣＥ、ＳＴＵＮ、ＴＵＲＮ及び／又は領域特定ＩＰ（ＲＳＩＰ）を用いて判断されることができる。
【００８２】
移動局５０２は、そのホームＳＩＰ登録機関に登録することができる（段階６０８）。例えば、移動局５０２は、ホームＳＩＰ登録機関５１４に登録することができる。登録は、移動局５０２の識別及び／又はその現在位置に関する情報をホームＳＩＰ登録機関に提供するよう動作することができる。また、登録は、移動局５０２に関連付けられた構成に関する情報の交換を含むことができる。例えば、登録は、移動局５０２が対応できるメディアセッションの種類に関する情報をホームＳＩＰ登録機関５１４に提供することができる。
【００８３】
移動局５０２は、ネットワーク上でフルＳＩＰベースのＩＰ通信を開始することができる（段階６１０）。移動局５０２は、参加局５１２に対する通信セッションを開始することができる。例えば、ホームＳＩＰ登録機関５１４は、参加局５１２に関連付けられたネットワーク識別子を含むことができる。移動局５０２は、参加局５１２が移動局５０２に対する通信セッションに加わることを要求するために参加局５１２にＩＮＶＩＴＥ要求を発することができる。ホームＳＩＰ登録機関５１４は、移動局５０２からＩＮＶＩＴＥ要求を受信し、参加局５１２へ要求を転送することができる。参加局５１２は、ＩＮＶＩＴＥ要求が受信されたことを確認するために、ホーム登録機関５１４を介して移動局５０２に２００ＯＫ応答を送信することができる。移動局は、２００ＯＫメッセージの受信を確認するために、ＡＣＫメッセージ等の確認応答メッセージを直接に参加局５１２に送信することができる。移動局５０２は、ホームＳＩＰ登録機関５１４を通過することなく、参加局に直接にＡＣＫメッセージを送信することができる。なぜなら、移動局５０２は、ホーム登録機関５１４を介して受信した２００ＯＫメッセージから参加局５１２のネットワーク識別子を取得できたからである。
【００８４】
ホームＳＩＰ登録機関５１４及び／又は一つ以上のトラバースネットワークは、移動局５０２が２つのネットワーク間で切換を試行しているか否かを判断するよう動作することができる（段階６１２）。例えば、ホームＳＩＰ登録機関５１４は、移動局５０２が要求を作成しているか否か、及び／又は第１外部ネットワーク５０８から第２外部ネットワーク５１０への切換を試行しているか否かを判断するために、第１外部ネットワーク５０８、第２外部ネットワーク５１０及び／又はネットワーク１０６で動作することができる。移動局５０２がネットワークの切換を試行していることを第１外部ネットワーク５０８又は第２外部ネットワーク５１０が検出した場合、第１外部ネットワーク５０８及び／又は第２外部ネットワーク５１０は、ホームＳＩＰ登録機関５１４に接触することができる。第１外部ネットワーク５０８及び／又は第２外部ネットワーク５１０は、移動局５０２が１つのネットワークから他のネットワークへ移動していることをホームＳＩＰ登録機関５１４に報告することができる。
【００８５】
移動局５０２がネットワークの切換を試行している時、ＳＩＰ  ＲＥ−ＩＮＶＩＴＥ要求は、確立されたインターネット通信セッションにおいて任意の妨害を引起すことなく、発せられることができる（段階６１４）。例えば、移動局５０２及び／又は第２外部ネットワーク５１０は、ホームＳＩＰ登録機関５１４にＲＥ−ＩＮＶＩＴＥ要求を発することができる。移動局５０２は、自動的にＲＥ−ＩＮＶＩＴＥ要求を送信することができ、及び／又は移動局５０２のユーザは、ＲＥ−ＩＮＶＩＴＥ要求を手動で送信することができる。ＲＥ−ＩＮＶＩＴＥ要求は、第１外部ネットワーク５０８の代わりに第２外部ネットワーク５１０を用いて通信セッションを継続するために、ホームＳＩＰ登録機関５１４によって使用されることができる。例えば、ホームＳＩＰ登録機関５１４は、通信セッションを妨害することなく、第１外部ネットワーク５０８から第２外部ネットワークへトラバースする一部の通信セッションを移行するために、単独又は他のネットワーク装置と共に動作することができる。反対に、移動局５０２がネットワーク切換を試行していない場合、方法のフローは、段階６１０に戻ることができる。
【００８６】
本発明の原理に従う実施形態は、進行中の通信セッションにおいて任意の妨害を受けることなく、第１外部ネットワーク５０８から第２外部ネットワーク５１０へ移動局５０２が移動することを可能にする。また、移動局５０２のユーザは、システム５００が自動的にルーティング及び切換を実行することができるので、セッション中に接続性を維持することに関して任意の手動動作を実行する必要がない。また、実施形態は、単独のホームＳＩＰ登録機関５１４を採用することができるので、訪問ＳＩＰ登録機関を採用する必要性を軽減する。単独のＳＩＰ登録機関の使用は、シームレスな通信セッションを可能にすることを確実にすることができる。
【００８７】
例示的な呼認証及び登録フロー
図７は、本発明の原理に従う固定モバイル集中型の通信サービスを提供するためにＩＰネットワークで認証及び登録を実行するよう使用されることができる例示的な呼フローを示す。呼フロー７００は、マルチモード移動局７０２、訪問アクセスポイント／イーサネット（登録商標）切換７０４、訪問ＲＡＤＩＵＳ／ＡＡＡサーバー７０６、ＡＡＡサーバー７０８、ＳＴＵＮ／ＴＵＲＮサーバー７１０及びＳＩＰプロキシサーバー７１２間で行われることができる。
【００８８】
マルチモード移動局７０２（以下、移動局７０２）は、一つより多い無線通信モードに対応できる任意の装置を含むことができる。例えば、移動局７０２は、移動局５０２を含むことができる。訪問アクセスポイント／イーサネット（登録商標）切換７０４（以下、アクセスポイント７０４）は、ネットワークで無線アクセスポイントとして動作できる任意の装置を含むことができる。例えば、アクセスポイント７０４は、２Ｇ／３Ｇ無線ネットワーク１２０、第１外部ネットワーク５０８及び／又は第２外部ネットワーク５１０に含まれることができる。訪問ＲＡＤＩＵＳＡＡＡサーバー７０６（以下、訪問サーバー７０６）は、認証、承認及びアカウンティング（ＡＡＡ）サービス及び／又はリモート認証ダイヤルインユーザサービス（ＲＡＤＩＵＳ）を実行できる任意の装置を含むことができる。訪問サーバー７０６は、ネットワークのユーザを認証するための中央サーバーにリモートアクセスサーバーがアクセス可能にすることができる。訪問サーバー７０６は、認証動作を実行する時にユーザ情報を含む一つ以上のデータベースで動作することができる。訪問サーバー７０６は、スタンドアローンの装置として実施されることができ、及び／又はＳＩＰモビリティサーバ１０８及び／又はホームＳＩＰ登録機関５１４等の、他の装置の機能性に組込まれることができる。ＡＡＡサーバー７０８は、ＡＡＡサービスを実行できる任意の装置を含むことができる。ＳＴＵＮ／ＴＵＲＮサーバー７１０は、リレーＮＡＴ（ＴＵＲＮ）サービスを用いてＮＡＴの（ＳＴＵＮ）及び／又はトラバースを介してＵＤＰの単独のトラバースを実行できる任意の装置を含むことができる。ＳＴＵＮ／ＴＵＲＮサーバー７１０は、ソース装置と送信先との間の通信セッションを容易にすることに関連付けられたシグナリング及び／又はメッセージングデータのネットワークトラバースを容易にするよう動作することができる。ＡＡＡサーバー７０８及び／又はＳＴＵＮ／ＴＵＲＮサーバー７１０は、ネットワーク１０６、無線ゲートウェイ１２２及び／又はネットワークゲートウェイ１３０で動作するネットワーク装置として実施されることができる。ＳＩＰプロキシサーバー７１２は、ＳＩＰベースの通信セッションを容易にできる任意の装置を含むことができる。例えば、ＳＩＰプロキシサーバー７１２は、一部のＳＩＰモビリティサーバ１０８及び／又はホームＳＩＰ登録機関５１４として実施されることができる。ＳＩＰプロキシサーバーは、通信セッションに関連付けられたソース装置及び／又は送信先装置の代わりにＳＩＰメッセージを転送するよう動作することができる。
【００８９】
移動局７０２は、通信セッションを開始するために無線ネットワークプロトコルに準拠するＩＥＥＥ８０２．１ｘフォーマットで拡張可能な認証プロトコル（ＥＡＰ）メッセージ７１４を発することができる。ＥＡＰは、ネットワーク装置が適切なネットワークアクセス識別子（ＮＡＩ）を選択することを助けるのに用いることができる。ＮＡＩは、ネットワーク上の装置の識別を確立するのに用いる識別子にすることができる。ＮＡＩは、独自のホームネットワークに関連付けられることができないローミング装置を識別することができる。
【００９０】
互換ＩＥＥＥ８０２．１ｘアクセスポイント７０４は、ＥＡＰメッセージ７１４を受信することができ、ＥＡＰメッセージ７１６をＲＡＤＩＵＳ準拠のフォーマットを介して訪問サーバー７０６に転送することができる。訪問サーバー７０６は、要求７１８をＡＡＡサーバー７０８に送信することができる。要求７１８は、移動局７０２がネットワークへの登録を望むことを示すことができる。ＡＡＡサーバー７０８は、要求７１８に応えて訪問サーバー７０６に回答７２０を送信することができる。訪問サーバー７０６は、アクセスポイント７０４に送信される応答７２２を生成することができる。応答７２２は、ＥＡＰメッセージ７１６の結果として生成されることができる。アクセスポイント７０４は、移動局７０２にＥＡＰ成功メッセージ７２４を渡す。ＥＡＰ成功メッセージ７２４は、登録要求が確認されたことを示すことができる。
【００９１】
移動局７０２は、アクセスポイント７０４へＤＨＣＰ発見／提供メッセージ７２６を送信することができる。ＳＴＵＮ／ＴＵＲＮプロトコル準拠の経路７２８は、移動局７０２とＳＴＵＮ／ＴＵＲＮサーバー７１０との間で確立されることができる。移動局７０２は、ＳＩＰプロキシサーバー７１２へ登録要求７３０を送信することができる。ＳＩＰプロキシサーバー７１２は、登録要求７３０が受信及び理解されたことを示す２００ＯＫ応答７３２を送信することができる。ＳＩＰプロキシサーバー７１２は、信号フロー７００を用いてネットワーク１０６等のネットワーク上で移動局７０２を登録するよう動作することができる。ネットワーク上での登録後、移動局７０２は、送信先装置に対するマルチモード通信セッションに参加することができる。
【００９２】
ＰＳＴＮ呼フローに対する例示的な移動局
図８は、移動局から本発明の原理に従うＰＳＴＮ装置へ呼を完了するのに用いることができる例示的な呼フローを示す。呼フロー８００は、マルチモード移動局７０２、セルラーモバイル切換８０２、モバイルゲートウェイ８０４、ＳＩＰプロキシサーバー７１２、ＰＳＴＮゲートウェイ８０６及びＰＳＴＮ装置８０８間で行われることができる。
【００９３】
移動局７０２及びＳＩＰプロキシサーバー７１２は、図７に関連して説明されるように実質的に構成されることができる。セルラーモバイル切換（以下、モバイル切換８０２）は、無線呼の設定を容易にできる任意の装置を含むことができる。例えば、モバイル切換８０２は、被呼者の識別に関連付けられた一連の発信番号を処理するために、一部の第１外部ネットワーク５０８及び／又は第２外部ネットワーク５１０として動作することができる。モバイルゲートウェイ８０４は、他のネットワークに無線ネットワークをインタフェースできる任意の装置を含むことができる。例えば、モバイルゲートウェイ８０４は、図１に関連して検討された無線ゲートウェイ１２２と実質的に類似する方法で動作するよう構成されることができる。ＰＳＴＮゲートウェイ８０６は、他のネットワークにＰＳＴＮネットワークをインタフェースできる任意の装置を含むことができる。１実施形態において、ＰＳＴＮゲートウェイ８０６は、図１に関連して検討されたネットワークゲートウェイ１３０に実質的に類似する方法で動作するよう構成されることができる。ＰＳＴＮ装置８０８は、ＰＳＴＮ呼を作成又は受信できる任意の装置を含むことができる。１実施形態において、ＰＳＴＮ装置８０８は、ＰＳＴＮ電話１２８に実質的に類似する方法で動作するよう構成されることができる。
【００９４】
呼フロー８００は、移動局７０２が一連のダイヤル番号８１０を用いて呼試行を発する時に開始することができる。モバイル切換８０２は、ダイヤル番号８１０を受信し、初期アドレスメッセージ（ＩＡＭ）又は設定メッセージ８１２を構成することができる。ＩＡＭ８１２は、移動局７０２から受信したダイヤル番号を含むことができる。モバイル切換８０２は、モバイルゲートウェイ８０４にＩＡＭ８１２を送信することができる。モバイルゲートウェイ８０４は、ＳＩＰプロキシサーバー７１２にＩＮＶＩＴＥ要求８１４を送信することができる。ＩＮＶＩＴＥ要求８１４は、ＰＳＴＮ装置８０８等の送信先装置を移動局７０２との発呼セッションに参加させる要求として動作することができる。ＳＩＰプロキシサーバー７１２は、ＩＮＶＩＴＥ要求８１６としてＰＳＴＮゲートウェイ８０６へＩＮＶＩＴＥ要求８１４を転送することができる。
【００９５】
ＰＳＴＮゲートウェイ８０６は、ＩＮＶＩＴＥ要求８１６が受信及び理解されたことを示す２００ＯＫ応答８１８を発することができる。ＳＩＰプロキシサーバー７１２は、２００ＯＫ応答８１８を受信することができ、ＩＮＶＩＴＥ要求８１４が受信及び理解されたことを示すために２００ＯＫ応答８２０を生成し、それをモバイルゲートウェイ８０４に送信することができる。モバイルゲートウェイ８０４は、ＡＮＭ又は接続メッセージ８２２をモバイル切換８０２へ送信することができる。モバイル切換８０２は、移動局７０２へ接続メッセージ８２４を発することができる。移動局７０２は、セルラーデータ８２６上のメディアに対してネットワーク上で通信することができる。移動局７０２は、モバイル切換８０２へセルラーデータ８２６上でメディアを送信することができる。モバイル切換８０２は、ＴＤＭフォーマットでモバイルゲートウェイへメディアデータ８２８を渡すことができる。モバイルゲートウェイ８０４は、メディアデータ８２８をＩＰフォーマット８３０に変換することができ、データをＰＳＴＮゲートウェイ８０６へ伝えることができる。ＰＳＴＮゲートウェイ８０６は、ＰＳＴＮ準拠のフォーマット８３２でＰＳＴＮ装置８０８へメディアデータを提供することができる。
【００９６】
移動局の呼フローに対する例示的なＰＳＴＮ
図９は、本発明の原理に従う、ＰＳＴＮ装置から開始して移動局で終了する例示的な呼フローを示す。呼フロー９００は、移動局７０２、モバイル切換８０２、モバイルゲートウェイ８０４、ＳＩＰプロキシサーバー７１２、ＰＳＴＮゲートウェイ８０６及びＰＳＴＮ装置８０８を使用することができる。移動局７０２、モバイル切換８０２、モバイルゲートウェイ８０４、ＳＩＰプロキシサーバー７１２、ＰＳＴＮゲートウェイ８０６及びＰＳＴＮ装置８０８は、先に説明したように構成されることができる。
【００９７】
ＰＳＴＮゲートウェイ８０６は、ＳＩＰプロキシサーバー７１２にＩＮＶＩＴＥ要求９０２を送信することができる。ＳＩＰプロキシサーバー７１２は、ＩＮＶＩＴＥ要求９０４としてモバイルゲートウェイ８０４へＩＮＶＩＴＥ要求９０２を転送することができる。モバイルゲートウェイ８０４は、モバイル切換８０２へＩＡＭ又は設定メッセージ９０６を送信することができる。モバイル切換８０２は、移動局７０２へ警告信号９０８を送信することができる。警告信号は、例えば着メロを含むことができる。
【００９８】
移動局７０２は、警告信号９０８に基づき回答９１０を発することができる。例えば、ユーザは、電話に回答することによって警告信号９０８に応答することができる。代わりに、警告信号９０８は、留守番電話及び／又は音声メールシステムに入力信号を抽出させることによって扱われることができる。モバイル切換８０２は、回答９１０を受信することができる。モバイル切換８０２は、ＡＮＭ又は接続メッセージ９１２を発することができる。モバイルゲートウェイ８０４は、ＡＮＭ又は接続メッセージ９１２を受信することができ、ＳＩＰプロキシサーバー７１２へ２００ＯＫ応答９１４を送信することができる。２００ＯＫ応答９１４は、ＩＮＶＩＴＥ要求９０４が受信及び理解されたことを示すことができる。ＳＩＰプロキシサーバー７１２は、ＩＮＶＩＴＥ要求９０２が受信及び理解されたことを示すＰＳＴＮゲートウェイ８０６へ２００ＯＫ応答９１６を送信することができる。
【００９９】
ＰＳＴＮゲートウェイ８０６は、ＳＩＰプロキシサーバー７１２へ確認応答ＡＣＫ９１８を送信することによって２００ＯＫ応答９１６に応答することができる。ＳＩＰプロキシサーバー７１２は、２００ＯＫ応答９１４が受信及び理解されたことを示すモバイルゲートウェイ８０４へＡＣＫ９２０として確認応答を送信することができる。モバイルゲートウェイ８０４がＡＣＫ９２０を受信した時、セルラー呼９２２上のメディアは、有効にされることができる。モバイル切換８０２は、ＴＤＭフォーマット９２４でモバイルゲートウェイ８０４へセルラーメディアデータ９２２を渡すことができる。モバイルゲートウェイ８０４は、ＰＳＴＮゲートウェイ８０６へＩＰ９２６上のメディアを渡すことができ、次にＰＳＴＮゲートウェイ８０６は、ＰＳＴＮフォーマット９２８でＰＳＴＮ装置８０８へデータを伝えることができる。
【０１００】
図１０は、本発明の原理に従うＩＰモードでの送信後、２Ｇ移動局で開始してＰＳＴＮ装置で終了する例示的な呼フローを示す。呼フロー１０００は、移動局７０２、アクセスポイント７０４、モバイル切換８０２、モバイルゲートウェイ８０４、ＳＩＰプロキシサーバー７１２、ＰＳＴＮゲートウェイ８０６及びＰＳＴＮ装置８０８を含むことができる。移動局７０２、アクセスポイント７０４、モバイル切換８０２、モバイルゲートウェイ８０４、ＳＩＰプロキシサーバー７１２、ＰＳＴＮゲートウェイ８０６及びＰＳＴＮ装置８０８は、上記説明のように動作することができる。
【０１０１】
呼フロー１０００の実施形態は、セルラー１００２上のメディア、ＴＤＭ１００４上のメディア、ＩＰ１００６上のメディア及びＰＳＴＮ１００８上のメディアを初めに含むことができる。呼が行われる間、呼フロー１０００は、ＩＰ１０３８上のメディア及びＰＳＴＮメディア１０４０を含むために移行することができる。移行は、移動局７０２等の携帯装置によって作成された要求の結果として発生することができる。
【０１０２】
呼フロー１０００は、８０２．１ｘ認証メッセージ１０１０が移動局７０２とアクセスポイント７０４との間で交換された時に開始することができる。ＳＩＰ登録ＳＴＵＮ／ＴＵＲＮメッセージ１０１２は、移動局７０２とＳＩＰプロキシサーバー７１２との間で交換されることができる。ＳＩＰ登録ＳＴＵＮ／ＴＵＲＮメッセージ１０１２は、ＳＩＰプロキシサーバー７１２の途上で一つ以上のＮＡＴ及び／又はファイアウォールをトラバースすることができる。移動局７０２は、ＳＩＰプロキシサーバー７１２にＩＮＶＩＴＥ要求１０１４を発することができる。ＩＮＶＩＴＥ要求１０１４は、ＩＰセッション１０３８上のメディア等の、移動局７０２に対する発呼セッションに送信先装置を参加させる要求又は案内として動作することができる。ＳＩＰプロキシサーバー７１２は、ＰＳＴＮゲートウェイ８０６にＩＮＶＩＴＥ要求１０１６を送信することができる。ＩＮＶＩＴＥ要求１０１６は、進行中の通信セッションをＩＰ１０３８上のメディアに移行することに関連付けられた情報を含むことができる“置換”ヘッダーを含むことができる。
【０１０３】
ＰＳＴＮゲートウェイ８０６は、ＩＮＶＩＴＥ要求が受信及び理解されたことを示す２００ＯＫ応答１０１８でＩＮＶＩＴＥ要求１０１６に応答することができる。ＳＩＰプロキシサーバー７１２は、移動局７０２へ２００ＯＫ応答１０２０を送信することができる。移動局７０２は、２００ＯＫ応答１０２０の受信を確認するためにＳＩＰプロキシサーバー７１２に確認（ＡＣＫ）応答１０２２を送信することができる。ＳＩＰプロキシサーバー７１２は、ＰＳＴＮゲートウェイ８０６へＡＣＫ応答１０２４を送信することができる。ＡＣＫ応答１０２４は、２００ＯＫ応答１０１８が受信及び理解されたことを示すことができる。
【０１０４】
ＰＳＴＮゲートウェイ８０６は、一部の通信セッションを終了するためにＳＩＰプロキシサーバー７１２へＢＹＥ要求１０２６を送信することができる。ＳＩＰプロキシサーバー７１２は、モバイルゲートウェイ８０４へＢＹＥ要求１０２８を送信することができる。モバイルゲートウェイ８０４は、モバイル切換８０２へ解放メッセージ１０３０を送信することができる。解放メッセージ１０３０は、一部の現在の通信セッションを解放又は終了することに関連付けられることができる。モバイル切換８０２は、移動局７０２へ切断メッセージ１０３２を送信することができる。切断メッセージ１０３２は、一部の発呼セッションを終了させることができる。モバイルゲートウェイ８０４がＢＹＥ要求１０２８を受信した時、それは、ＳＩＰプロキシサーバー７１２へ２００ＯＫ要求１０３４を返送することができる。ＳＩＰプロキシサーバー７１２は、ＰＳＴＮゲートウェイ８０６へ２００ＯＫ応答１０３６を送信することができる。通信セッションは、移動局７０２及びＰＳＴＮゲートウェイ８０６間のＩＰ１０３８と、ＰＳＴＮゲートウェイ８０６及びＰＳＴＮ装置７０８間のＰＳＴＮデータとの上のメディアを含むことができる。
【０１０５】
ＩＰから２Ｇへのモード切換の例示的な呼フロー。
図１１は、本発明の原理に従うＰＳＴＮ呼の間にＩＰから２Ｇへの切換を用いて、移動局からＰＳＴＮ装置へ呼を伝えるのに用いることができる例示的な呼フローを示す。呼フロー１１００は、移動局７０２、アクセスポイント７０４、セルラーモバイル切換８０２、モバイルゲートウェイ８０４、ＳＩＰプロキシサーバー７１２、ＰＳＴＮゲートウェイ８０６及びＰＳＴＮ装置８０８を使用することができる。移動局７０２、アクセスポイント７０４、セルラーモバイル切換８０２、モバイルゲートウェイ８０４、ＳＩＰプロキシサーバー７１２、ＰＳＴＮゲートウェイ８０６及びＰＳＴＮ装置８０８は、上記説明のように構成及び動作することができる。
【０１０６】
呼フロー１１００は、移動局７０２及びＰＳＴＮゲートウェイ８０６間のＩＰ１１０２と、ＰＳＴＮゲートウェイ８０６及びＰＳＴＮ装置８０８間のＰＳＴＮ呼１１０３との上のメディアを初めに含むことができる。通信セッションの間、呼フロー１１００は、移動局７０２及びモバイル切換８０２間のセルラー１１３０上のメディアと、モバイル切換８０２及びモバイルゲートウェイ８０４間のＴＤＭ１１３２上のメディアと、モバイルゲートウェイ８０４及びＰＳＴＮゲートウェイ８０６間のＩＰ１１３４上のメディアと、ＰＳＴＮゲートウェイ８０６及びＰＳＴＮ装置８０８間のＰＳＴＮ呼１１３６とへ移行することができる。移行は、移動局７０２及び／又はＰＳＴＮ装置７０８等の加入者装置によって実行される行為の結果として開始されることができる。
【０１０７】
呼フロー１１００は、移動局７０２及びモバイル切換８０２間でダイヤル番号１１０４を有する呼試行を含むことができる。モバイル切換８０２は、モバイルゲートウェイ８０４へＩＡＭ又は設定メッセージ１１０６を発することができる。ＩＡＭメッセージ１１０６は、ダイヤル番号を含むことができる。モバイルゲートウェイ８０４は、ＳＩＰプロキシサーバー７１２へＩＮＶＩＴＥ要求１１０８を送信することができる。ＳＩＰプロキシサーバー７１２は、ＰＳＴＮゲートウェイ８０６へ“置換”ヘッダー１１１０を含むＩＮＶＩＴＥ要求を送信することができ、“置換”ヘッダーは、１つの装置に関連付けられたネットワーク識別子を他の識別子に置換するよう動作することができる。例えば、ＩＮＶＩＴＥ要求１１０８は、送信装置、ここではモバイルゲートウェイ８０４に関連付けられたネットワーク識別子を含むことができる。ＳＩＰプロキシサーバー７１２がＩＮＶＩＴＥ要求１１１０を送信する時、“置換”ヘッダーは、ＳＩＰプロキシサーバー７１２及び／又はネットワーク上の他の装置に関連付けられたネットワーク識別子を含むことができる。“置換”ヘッダーを用いるＩＮＶＩＴＥ要求は、呼抽出、呼転送及び呼ハンドオフ等の動作を容易にすることができる。ＰＳＴＮゲートウェイ８０６は、２００ＯＫ応答１１１２で応答することができる。ＳＩＰプロキシサーバー７１２は、２００ＯＫ応答１１１２を受信することができ、モバイルゲートウェイ８０４へ２００ＯＫ応答１１１４を発することができる。
【０１０８】
モバイルゲートウェイ８０４は、モバイル切換８０２へＡＮＭ又は接続メッセージ１１１６を送信することができる。モバイル切換８０２は、移動局７０２に対する呼を確立するために接続メッセージ１１１８を発することができる。モバイルゲートウェイ８０４は、２００ＯＫ応答１１１４の受信を確認するためにＳＩＰプロキシサーバー７１２へＡＣＫ回答１１１９を発することができる。ＳＩＰプロキシサーバー７１２は、２００ＯＫ応答１１１２の受信を確認するためにＰＳＴＮゲートウェイ８０６へＡＣＫ回答１１２０を送信することができる。
【０１０９】
ＰＳＴＮゲートウェイ８０６は、ＳＩＰプロキシサーバー７１２へ送信されることができるＢＹＥ要求１１２２を発することができる。ＳＩＰプロキシサーバー７１２は、一部の現在の通信セッションを切断するために移動局７０２へＢＹＥ要求１１２４を送信することができる。ＳＩＰプロキシサーバー７１２は、ＢＹＥ要求１１２４の受信を確認する移動局７０２から２００ＯＫ応答１１２６を受信することができる。ＳＩＰプロキシサーバー７１２は、ＢＹＥ要求１１２２の受信を確認するためにＰＳＴＮゲートウェイ８０６へ２００ＯＫ応答１１２８を送信することができる。
【０１１０】
ユーザ対ユーザの例示的な呼フロー
図１２は、本発明の原理に従う２Ｇモードでユーザ対ユーザ呼を発するのに使用されることができる例示的な呼フローを示す。呼フロー１２００は、第１デュアルモード移動局７０２Ａと、第２デュアルモード移動局７０２Ｂと、セルラーモバイル切換８０２と、モバイルゲートウェイ８０４と、ＳＩＰプロキシサーバー７１２とを含むことができる。第１移動局７０２Ａ及び第２移動局７０２Ｂは、移動局７０２と実質的に類似した方法で動作するよう構成されることができる。モバイル切換８０２、モバイルゲートウェイ８０４及びＳＩＰプロキシサーバー７１２は、上記説明のように動作するよう構成されることができる。
【０１１１】
呼フロー１２００は、ダイヤル番号１２０２を含む呼試行が第１移動局７０２Ａ及びモバイル切換８０２間で開始された時に開始することができる。モバイル切換８０２は、ダイヤル番号を含むＩＡＭ又は設定メッセージ１２０４をモバイルゲートウェイ８０４へ送信することができる。モバイルゲートウェイ８０４は、ＳＩＰプロキシサーバー７１２へＩＮＶＩＴＥ要求１２０６を送信することができる。ＩＮＶＩＴＥ要求１２０６は、通信セッションに参加するために第２移動局７０２Ｂを案内するよう動作することができる。ＳＩＰプロキシサーバー７１２は、ＩＮＶＩＴＥ要求１２０６に応じてモバイルゲートウェイ８０４へＩＮＶＩＴＥ要求１２０８を送信することができる。
【０１１２】
モバイルゲートウェイ８０４は、モバイル切換８０２へダイヤル番号を含むＩＡＭ又は設定メッセージ１２１０を送信することができる。モバイル切換８０２は、第２移動局７０２Ｂへ警告メッセージ１２１２を発することができる。第２移動局７０２Ｂは、電話に回答することによって警告信号に回答することができる。モバイル切換８０２は、警告メッセージ１２１２を発行した後、及び／又は第２移動局７０２Ｂが呼を抽出したことを検出した後、モバイルゲートウェイ８０４へＡＮＭ又は接続メッセージ１２１４を送信することができる。モバイルゲートウェイ８０４は、ＩＮＶＩＴＥ要求１２０８の受信に応じてＳＩＰプロキシサーバー７１２へ２００ＯＫ応答１２１６を送信することができる。ＳＩＰプロキシサーバー７１２は、ＩＮＶＩＴＥ要求１２０６の受信を確認するために２００ＯＫ応答１２１８を返送することができる。
【０１１３】
モバイルゲートウェイ８０４は、モバイル切換８０２へＡＮＭ又は接続メッセージ１２２０を送信することができる。モバイル切換８０２は、接続メッセージ１２２２を用いて発呼セッションを開始することができる。モバイル切換８０２は、第１移動局７０２Ａに接続メッセージ１２２２を送信することができる。発呼セッションは、第１移動局７０２Ａ及び第２移動局７０２Ｂ間で行われることができる。モバイルゲートウェイ８０４は、２００ＯＫ応答１２１８の受信を確認するためにＳＩＰプロキシサーバー７１２へＡＣＫ応答１２２８を送信することができる。ＳＩＰプロキシサーバー７１２は、２００ＯＫ応答１２１６の受信及び理解を確認するためにモバイルゲートウェイ８０４へＡＣＫ応答１２３０を送信することができる。
【０１１４】
呼フロー１２００は、第１移動局７０２Ａとモバイル切換８０２との間でセルラーデータ１２２４上のメディアを含むことができ、モバイル切換８０２とモバイルゲートウェイ８０４との間でＴＤＭデータ１２２６上のメディアを含むことができる。また、呼フロー１２００は、第２移動局７０２Ｂ及びモバイル切換８０２間のセルラーデータ１２３２上のメディアと、モバイル切換８０２及びモバイルゲートウェイ８０４間のＴＤＭ１２３４上のメディアとを含むことができる。
【０１１５】
２ＧからＩＰへのモード切換の例示的な呼フロー
図１３は、本発明の原理に従う発呼セッションの間に２ＧからＩＰへのモード切換を実行するのに用いることができる例示的な呼フローを示す。呼フロー１３００は、第１デュアルモード移動局７０２Ａと、８０２．１１／イーサネット（登録商標）切換１３０２（以下、イーサネット（登録商標）切換１３０２）と、第２デュアルモード移動局７０２Ｂと、モバイル切換８０２と、モバイルゲートウェイ８０４と、ＳＩＰプロキシサーバー７１２とを含むことができる。第１移動局７０２Ａ、第２移動局７０２Ｂ、モバイル切換８０２、モバイルゲートウェイ８０４及びＳＩＰプロキシサーバー７１２は、上記説明のように構成及び動作することができる。８０２．１１／イーサネット（登録商標）切換１３０２は、８０２．１１準拠のデータをイーサネット（登録商標）準拠のインタフェースへインタフェースできる任意の装置を含むことができる。
【０１１６】
呼フロー１３００は、第１移動局７０２Ａ及びモバイル切換８０２間のセルラーデータ１３０４上のメディアと、モバイル切換８０２及びモバイルゲートウェイ８０４間のＴＤＭデータ１３０６上のメディアと、第２移動局７０２Ｂ及びモバイル切換８０２間のセルラーデータ１３１０上のメディアと、モバイル切換８０２及びモバイルゲートウェイ８０４間のＴＤＭ１３０８上のメディアとを初めに含むことができる。発呼セッションの間、呼フロー１３００は、第２移動局７０２Ｂ及びモバイル切換８０２間のセルラー１３４０上のメディアと、モバイル切換８０２及びモバイルゲートウェイ８０４間のＴＤＭ１３３８上のメディアと、第１移動局７０２Ａ及びモバイルゲートウェイ８０４間のＩＰ１３３４上のメディアとを含むよう移行することができる。１つの呼メディアから他の呼メディアへの移行は、移動局７０２Ａ又は７０２Ｂ等の加入者装置によって作成された要求の結果として発生することができる。
【０１１７】
第１移動局７０２Ａは、イーサネット（登録商標）切換１３０２で８０２．１ｘ認証１３１２を実行することができる。ＳＩＰ登録１３１４は、第１移動局７０２Ａ及びＳＩＰプロキシサーバー７１２間で行われることができる。ＳＩＰ登録１３１４は、ファイアウォール等のネットワーク装置をトラバースするためのＳＴＵＮ及び／又はＴＵＲＮを採用することができる。第１移動局７０２Ａは、ＩＮＶＩＴＥ要求１３１６をＳＩＰプロキシサーバー７１２へ発することができる。ＩＮＶＩＴＥ要求１３１６は、第２移動局７０２Ｂを通信セッションに加入させる案内にすることができる。ＳＩＰプロキシサーバー７１２は、ＩＮＶＩＴＥ要求１３１８を送信することができる。ＩＮＶＩＴＥ要求１３１８は、“置換”ヘッダーを含むことができる。ＳＩＰプロキシサーバー７１２は、モバイルゲートウェイ８０４へメッセージ１３１８を送信することができる。モバイルゲートウェイ８０４は、ＩＮＶＩＴＥ要求１３１８の受信を確認する２００ＯＫ応答１３２０で応答することができる。ＳＩＰプロキシサーバー７１２は、ＩＮＶＩＴＥ要求１３１６の受信を確認する第１移動局７０２Ａへ２００ＯＫ応答１３２２を送信することができる。第１移動局７０２Ａは、２００ＯＫ応答１３２２の受信を確認する確認応答（ＡＣＫ）メッセージ１３２４を返送することができる。ＳＩＰプロキシサーバー７１２は、２００ＯＫ応答１３２０に応じてモバイルゲートウェイ８０４へ確認応答（ＡＣＫ）メッセージ１３２６を送信することができる。
【０１１８】
ＢＹＥ要求１３２８は、モバイルゲートウェイ８０４からＳＩＰプロキシサーバー７１２へ送信されることができる。ＢＹＥ要求１３２８は、モバイルゲートウェイ８０４が一部の発呼セッションを切断しようとすることを示すものとして動作することができる。モバイルゲートウェイ８０４は、モバイル切換８０２へ解放メッセージ１３３０を送信することができる。切断メッセージ１３３２は、呼の足に関連付けられることができる。解放メッセージ１３３０は、切断メッセージ１３３２をモバイル切換８０２から第１移動局７０２Ａへ送信させることができる。ＳＩＰプロキシサーバー７１２がＢＹＥ要求１３２８を受信した時、それは、ＢＹＥ要求１３３４で応答することができる。モバイルゲートウェイ８０４は、ＢＹＥ要求１３３４に応じて２００ＯＫ応答１３３６で応答することができ、ＳＩＰプロキシサーバー７１２は、ＢＹＥ要求１３２８に応じてモバイルゲートウェイ８０４へ２００ＯＫ応答１３４２を返送することができる。切断メッセージ１３３２は、それとモバイルゲートウェイ８０４との間のＩＰ１３４４上のメディアを用いて第１移動局７０２Ａを通信させることができる。
【０１１９】
結論
本発明に従うシステム及び方法は、単独のＳＩＰホームサーバーだけ用いてシームレスなマルチモード通信を可能にする。結果として、ユーザは、無線ネットワーク、ＰＳＴＮ、ＩＰネットワーク及び他のネットワーク上で通信するのに用いることができる、電話番号又はＵＲＩ等の単独の識別子を有することができる。また、ユーザは、マルチモード通信技術を使用するために各通信事業者との別個のサービス加入を維持する必要がない。
【０１２０】
本発明の例示的な実施形態の上記説明は、図及び説明を提供するが、開示された通りの形式に本発明を網羅的かつ限定的にすることを意図しない。改良及び変更は、上記教示に照らして可能であり、かつ本発明の実施から習得されることができる。例えば、一連のシグナリングフローが図７から１３に関して説明され、一連の段階が図６に関して説明されたが、信号フロー及び／又は段階の順番は、本発明に従う他の実施形態で変更されることができる。また、互いに依存しない信号フロー及び／又は段階が同時に実施されることができる。
【０１２１】
例えば、本発明の原理に従う実施形態は、本発明の精神から逸脱しない範囲において説明され図説された装置以外に、ネットワークプロトコル、メッセージングシーケンス、ネットワークトポロジー及び通信装置を用いて実施されることができる。また、図７〜１３に関して説明された通信セッションに関連付けられた一連のイベントは、図示された順番以外の他の順番で実行されることができる。また、追加のイベントは、使用された特定のネットワークトポロジーとユーザ及び／又はサービスプロバイダの必要とに応じて、追加又は削除されることができる。また、互いに依存しない段階は、同時に実行されることができる。また、開示された実施形態は、ハードウェア回路及び／又はソフトウェアの任意の特定の組合せに限定されない。
【０１２２】
本発明の説明で使用された構成要素、段階又は命令は、特に明示される場合を除くほか、本発明に重要及び必須なものとして解釈されるべきではない。１つの項目だけが意図される場合、“１つ”という語句又は類似の言語が使用される。また、本明細書中で使用される“基づく”という語句は、特に明示される場合を除くほか、“少なくとも一部に基づき”を意味するよう意図される。本発明の範囲は、以下の特許請求の範囲及びその均等物によって定義される。
【図面の簡単な説明】
【０１２３】
【図１】図１は、モードアジャイル通信セッションを提供するためのシステム及び方法が本発明の原理に従って実施されることができる例示的なネットワークのブロック図である。
【図２】図２は、本発明の原理に従うマルチモード通信装置の実施携帯を実施するのに用いることができる汎用通信装置の例示的な構成を示す図である。
【図３】図３は、本発明の原理に従うマルチモード通信装置で実施されることができる例示的なソフトウェア構成を示す図である。
【図４】図４は、本発明の原理に従うマルチモード通信装置に適応するためのソケットの例示的な実施形態を示す図である。
【図５】図５は、本発明の原理に従うＳＩＰベースの通信セッションに参加する間に多数のネットワークを横切ってトラバースする移動局に対する通信を容易にする例示的なシステムを示す図である。
【図６】図６は、本発明の原理に従うＳＩＰベースのサービスを用いてフル機能ＩＰ通信を用意にするための例示的な方法を示す図である。
【図７】図７は、本発明の原理に従う固定モバイル集中型の通信装置を提供するためにＩＰネットワークで認証及び登録を実行するのに用いることができる例示的な呼フローを示す図である。
【図８】図８は、移動局から本発明の原理に従うＰＳＴＮ装置へ呼を終了させるのに用いることができる例示的な呼フローを示す図である。
【図９】図９は、ＰＳＴＮ装置から開始して本発明の原理に従う移動局で終了する例示的な呼フローを示す図である。
【図１０】図１０は、本発明の原理に従うＩＰモードでの通信の後、２Ｇ移動局で開始してＰＳＴＮ装置で終了する例示的な呼フローを示す図である。
【図１１】図１１は、本発明の原理に従うＰＳＴＮ呼の間、ＩＰから２Ｇへの切換を用いて移動局からＰＳＴＮ装置へ呼を伝えるのに用いることができる例示的な呼フローを示す図である。
【図１２】図１２は、本発明の原理に従う２Ｇモードでユーザ対ユーザ呼を行うのに用いることができる例示的な呼フローを示す図である。
【図１３】図１３は、本発明の原理に従う発呼セッションの間に２ＧからＩＰモードへの切換を実行するのに用いることができる例示的な呼フローを示す図である。
【符号の説明】
【０１２４】
１０２  無線ＬＡＮ
１０４  ＰＤＡ
１０６  ネットワーク
１１０  ＣＰＥインタフェース
１１６  マルチモードソケット
１２０  ２Ｇ／３Ｇ無線ネットワーク
１２６  ＰＳＴＮネットワーク
【図１】
2008510394.tif 000003
【図２】
2008510394.tif 000004
【図３】
2008510394.tif 000005
【図４】
2008510394.tif 000006
【図５】
2008510394.tif 000007
【図６】
2008510394.tif 000008
【図７】
2008510394.tif 000009
【図８】
2008510394.tif 000010
【図９】
2008510394.tif 000011
【図１０】
2008510394.tif 000012
【図１１】
2008510394.tif 000013
【図１２】
2008510394.tif 000014
【図１３】
2008510394.tif 000015
【国際調査報告】
2008510394.tif 000016